(57)【要約】  ワイヤレス通信のための方法、システム、およびデバイスが説明される。ユーザ機器（ＵＥ）のようなワイヤレスデバイスまたは基地局は、低レイテンシ通信のためのリソース要素グループ（ＲＥＧ）のセットを識別し得、各ＲＥＧは、リソースブロック（ＲＢ）のセット（例えば、隣接しないＲＢのセット）のうちの異なるＲＢの部分を含み得る。デバイスは次に、選択されたＲＥＧにアップリンク制御チャネルをマッピングし、そのアップリンク制御チャネル上で適宜通信し得る。基準信号もまた、同じＲＢ中で送信され得、ＲＥＧは、基準信号のために使用されるリソースの周辺にマッピングされ得る。いくつかの場合には、複数のＵＥは、（例えば、制御ペイロードが比較的小さい場合に）符号分割多重化（ＣＤＭ）を使用して、同じリソースを使用してアップリンク制御データを送信し得る。他の場合には、複数のＵＥは、周波数分割多重化（ＦＤＭ）され得る。
2018537020.tif 000002
【特許請求の範囲】
【請求項１】
ワイヤレス通信の方法であって、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を備える、方法。
【請求項２】
ＲＢの前記セットは隣接しない、請求項１に記載の方法。
【請求項３】
ユーザ機器（ＵＥ）に関連付けられたオフセットを識別することと、
ＲＢの前記セットの各ＲＢにおいて前記オフセットを使用してアップリンク基準信号を送信することと
をさらに備える、請求項１に記載の方法。
【請求項４】
前記アップリンク基準信号は、前記アップリンク制御チャネルを備える１つまたは複数のシンボル期間中に送信される、請求項３に記載の方法。
【請求項５】
前記アップリンク基準信号は、基地局によって示される１つまたは複数のシンボル期間中に送信される、請求項３に記載の方法。
【請求項６】
前記アップリンク基準信号は、前記アップリンク制御チャネルまたはアップリンク共有チャネル、あるいは両方に関連付けられる、請求項３に記載の方法。
【請求項７】
前記ＲＥＧの前記セットは、ＲＲＣシグナリングを使用して通信される指示に従って準静的に構成される、請求項１に記載の方法。
【請求項８】
ＲＥＧの前記セットは、ダウンリンクメッセージ中で通信される指示を使用して動的に構成される、請求項１に記載の方法。
【請求項９】
前記アップリンク制御チャネルの波形は、直交周波数分割多重化（ＯＦＤＭ）波形、離散フーリエ変換拡散ＯＦＤＭ（ＤＦＴ−Ｓ−ＯＦＤＭ）波形、またはインターリーブされた周波数分割多重化（ＩＦＤＭ）波形を備える、請求項１に記載の方法。
【請求項１０】
符号分割多重化（ＣＤＭ）カバーコードを識別すること
をさらに備え、ここにおいて、前記ワイヤレス通信リンクを通じて通信することは、前記ＣＤＭカバーコードに少なくとも部分的に基づく、請求項１に記載の方法。
【請求項１１】
前記ＣＤＭカバーコードは、周波数領域中の２つ以上の異なるサブキャリアのリソース要素、または時間領域中の２つ以上の異なるシンボル期間のリソース要素、あるいはそれらの組み合わせを備える、請求項１０に記載の方法。
【請求項１２】
前記アップリンク制御チャネルのペイロードサイズを決定すること
をさらに備え、ここにおいて、前記ＣＤＭカバーコードを識別することは、前記ペイロードサイズに少なくとも部分的に基づく、請求項１０に記載の方法。
【請求項１３】
ＲＥＧの前記セットの各ＲＥＧは、基準信号を備えるリソース要素（ＲＥ）とインターリーブされた、データを備えるＲＥのセットを備え、前記インターリーブすることは、ＲＢの前記セットのうちの１つのＲＢのシンボル期間中に、データを備える前記ＲＥのうちの１つを、前記基準信号を備える前記ＲＥのうちの１つと交互にすることを備える、請求項１に記載の方法。
【請求項１４】
ＲＥＧの前記セットの各ＲＥＧは、基準信号を備えるＲＥとインターリーブされた、データを備えるＲＥのセットを備え、前記インターリーブすることは、ＲＢの前記セットのうちの１つのＲＢのシンボル期間中に、データを備える前記ＲＥのうちの２つを、前記基準信号を備える前記ＲＥのうちの１つと交互にすることを備える、請求項１に記載の方法。
【請求項１５】
前記アップリンク制御チャネルのコンテンツに少なくとも部分的に基づいて、ＲＥＧの前記セット中のＲＥＧの数量を識別すること
をさらに備える、請求項１に記載の方法。
【請求項１６】
前記通信することは、
第１のシンボル期間中に、ＲＥＧの前記セットのうちの第１のＲＥＧにおいて基準信号と第１のデータとを送信することと、
第１のシンボル期間に後続する第２のシンボル期間中に、ＲＥＧの前記セットのうちの第２のＲＥＧの各ＲＥにおいて第２のデータを送信することと
を備える、請求項１に記載の方法。
【請求項１７】
ＲＥＧの前記セットの各ＲＥＧのために送信アンテナまたは送信ポートを識別すること
をさらに備える、請求項１に記載の方法。
【請求項１８】
前記通信することは、前記アップリンク制御チャネルを備える送信時間間隔の最後のシンボル期間中に、サウンディング基準信号（ＳＲＳ）を送信することを備える、請求項１に記載の方法。
【請求項１９】
第１のＵＥに関連付けられた第１のＲＥＧ構造と、第２のＵＥに関連付けられた第２のＲＥＧ構造とを識別することと、
ＲＢの前記セットのうちの１つのＲＢ中の前記第１のＲＥＧ構造を使用して、前記第１のＵＥから第１のアップリンク基準信号を受信することと
をさらに備える、請求項１に記載の方法。
【請求項２０】
ＲＢのセットのうちの別のＲＢ中の前記第２のＲＥＧ構造を使用して、前記第２のＵＥから第２のアップリンク基準信号を受信すること
をさらに備える、請求項１９に記載の方法。
【請求項２１】
前記第１のＲＥＧ構造および前記第２のＲＥＧ構造は、少なくとも、周波数オフセット、基準信号のためのＲＥの数、またはＣＤＭカバーコードのうちの１つ、あるいはこれらの組み合わせにおいて異なる、請求項２０に記載の方法。
【請求項２２】
第２のシンボル期間中に別のＲＢ中の前記第１のＵＥに関連付けられたＲＥＧの各ＲＥにおいてデータまたは制御情報を受信すること
をさらに備え、ＲＥＧの前記セットは、前記第１のＵＥに関連付けられた前記ＲＥＧを備える、請求項１９に記載の方法。
【請求項２３】
ワイヤレス通信のための装置であって、
リソース要素グループ（ＲＥＧ）のセットを識別するための手段と、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングするための手段と、
ＲＥＧの前記セットを使用して前記アップリンク制御チャネル上で通信するための手段と
を備える、装置。
【請求項２４】
前記装置に、
ユーザ機器（ＵＥ）に関連付けられたオフセットを識別するための手段と、
ＲＢの前記セットの各ＲＢにおいて前記オフセットを使用してアップリンク基準信号を送信するための手段と
を行わせるように動作可能な命令をさらに備える、請求項２３に記載の装置。
【請求項２５】
前記ＲＥＧの前記セットは、ＲＲＣシグナリングを使用して通信される指示に従って準静的に構成される、請求項２３に記載の装置。
【請求項２６】
ＲＥＧの前記セットは、ダウンリンクメッセージ中で通信される指示を使用して動的に構成される、請求項２３に記載の装置。
【請求項２７】
前記アップリンク制御チャネルの波形は、直交周波数分割多重化（ＯＦＤＭ）波形、離散フーリエ変換拡散ＯＦＤＭ（ＤＦＴ−Ｓ−ＯＦＤＭ）波形、またはインターリーブされた周波数分割多重化（ＩＦＤＭ）波形を備える、請求項２３に記載の装置。
【請求項２８】
符号分割多重化（ＣＤＭ）カバーコードを識別するための手段
をさらに備え、ここにおいて、前記ワイヤレス通信リンクを通じて通信することは、前記ＣＤＭカバーコードに少なくとも部分的に基づく、請求項２３に記載の装置。
【請求項２９】
ワイヤレス通信のための装置であって、
プロセッサと、
前記プロセッサと電子通信するメモリと、
前記メモリに記憶され、かつ前記プロセッサによって実行されると、前記装置に、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を行わせるように動作可能な命令と
を備える、装置。
【請求項３０】
ワイヤレス通信のためのコードを記憶する非一時的コンピュータ可読媒体であって、前記コードは、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を行うように実行可能な命令を備える、非一時的コンピュータ可読媒体。
【発明の詳細な説明】
【相互参照】
【０００１】
[0001]  本特許出願は、２０１６年６月２３日に出願された、「Uplink Control Channel for Low Latency Communications」と題された、Chen他による米国特許出願第１５／１９１，４６０号、および２０１５年１０月１５日に出願された、「Uplink Control Channel for Low Latency Communications」と題された、米国仮特許出願第６２／２４１，９９７号に対する優先権を主張し、その各々がその譲受人に譲渡されている。
【背景技術】
【０００２】
[0002]  下記は、一般に、ワイヤレス通信に関し、より具体的には、低レイテンシ通信のためのアップリンク制御チャネル構成に関する。
【０００３】
[0003]  ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含み得、各々が、複数の通信デバイスのための通信を同時にサポートし、それは、別名ユーザ機器（ＵＥ）として知られ得る。
【０００４】
[0004]  ワイヤレス多元接続技術は、異なるワイヤレスデバイスが、都市レベル、国レベル、地域レベルだけでなく、世界的なレベルで通信することを可能にする共通のプロトコルを提供するために、様々な電気通信規格に採用されている。例となる電気通信規格は、ロングタームエボリューション（ＬＴＥ（登録商標））である。ＬＴＥは、スペクトル効率を改善し、コストを下げ、サービスを改善し、新たなスペクトルを使用し、他のオープン規格とより良く統合されるように設計されている。ＬＴＥは、ダウンリンク（ＤＬ）上でＯＦＤＭＡを、アップリンク（ＵＬ）上で単一キャリア周波数分割多元接続（ＳＣ−ＦＤＭＡ）を、および多入力多出力（ＭＩＭＯ）アンテナ技術を使用し得る。
【０００５】
[0005]  いくつかの場合には、ワイヤレスシステムは、異なる持続期間の送信時間間隔（ＴＴＩ：transmission time intervals）、サブフレーム、またはシンボル期間を使用して、低レイテンシ動作をサポートし得る。低レイテンシ通信は、非低レイテンシ通信に類似する通信技法およびフォーマットを使用し得る。しかしながら、非低レイテンシ構成に基づく低レイテンシアップリンク制御送信は、ワイヤレスリソースの非効率的な管理と、増大した実装および動作コストをもたらし得る。
【発明の概要】
【０００６】
[0006]  ユーザ機器（ＵＥ）のようなワイヤレスデバイスまたは基地局は、低レイテンシ通信のためのリソース要素グループ（ＲＥＧ）のセットを識別し得る。そのセットの各ＲＥＧは、リソースブロック（ＲＢ）のセット（例えば、周波数領域中で隣接しない（non-contiguous）ＲＢのセット）のうちの異なるＲＢの部分を含み得る。デバイスは次に、選択されたＲＥＧにアップリンク制御チャネルをマッピングし、そのアップリンク制御チャネル上で適宜通信し得る。基準信号もまた、同じＲＢ中で送信され得、ＲＥＧは、基準信号のために使用されるリソースの周辺にマッピングされ得る。いくつかの場合には、複数のＵＥは、（例えば、制御ペイロードが比較的小さい場合に）符号分割多重化（ＣＤＭ）を使用して、同じリソースを使用してアップリンク制御データを送信し得る。周波数領域中の異なるリソース（例えば、異なるサブキャリア）のリソースを使用して、異なるＵＥがアップリンク制御データを送信し得るように、他の場合には、複数のＵＥは、周波数分割多重化（ＦＤＭ）され得る。
【０００７】
[0007]  ワイヤレス通信の方法が説明される。方法は、ＲＥＧのセットを識別することを含み得、ＲＥＧのセットの各ＲＥＧは、ＲＢのセットのそれぞれのＲＢの部分を備える。方法はまた、ＲＥＧのセットにワイヤレス通信リンクのためのアップリンク制御チャネルをマッピングすることと、ＲＥＧのセットを使用してアップリンク制御チャネル上で通信することとを含み得る。
【０００８】
[0008]  ワイヤレス通信のための装置が説明される。装置は、ＲＥＧのセットを識別するための手段を含み得、ＲＥＧのセットの各ＲＥＧは、ＲＢのセットのそれぞれのＲＢの部分を備える。装置はまた、ＲＥＧのセットにワイヤレス通信リンクのためのアップリンク制御チャネルをマッピングするための手段と、ＲＥＧのセットを使用してアップリンク制御チャネル上で通信するための手段とを含み得る。
【０００９】
[0009]  別の装置が説明される。装置は、プロセッサと、プロセッサと電子通信するメモリと、メモリに記憶された命令とを含み得る。命令は、プロセッサに、ＲＥＧのセットを識別することを行わせるように動作可能であり得、ＲＥＧのセットの各ＲＥＧは、ＲＢのセットのそれぞれのＲＢの部分を備える。命令はまた、プロセッサに、ＲＥＧのセットにワイヤレス通信リンクのためのアップリンク制御チャネルをマッピングすることと、ＲＥＧのセットを使用してアップリンク制御チャネル上で通信することとを行わせるように動作可能であり得る。
【００１０】
[0010]  ワイヤレス通信のための非一時的コンピュータ可読媒体が説明される。非一時的コンピュータ可読媒体は、プロセッサに、ＲＥＧのセットを識別することを行わせるための命令を含み得、ＲＥＧのセットの各ＲＥＧは、ＲＢのセットのそれぞれのＲＢの部分を備える。非一時的コンピュータ可読媒体はまた、ＲＥＧのセットにワイヤレス通信リンクのためのアップリンク制御チャネルをマッピングすることと、ＲＥＧのセットを使用してアップリンク制御チャネル上で通信することとを行うための命令を含み得る。
【００１１】
[0011]  本明細書で説明されるような方法、装置、または非一時的コンピュータ可読媒体のいくつかの例は、ユーザ機器（ＵＥ）に関連付けられたオフセットを識別することと、ＲＢのセットの各ＲＢにおいてオフセットを使用してアップリンク基準信号を送信することとを行うための動作、機能、手段、または命令を含み得る。いくつかの例では、アップリンク基準信号は、アップリンク制御チャネルを含むシンボル期間中に送信され得る。いくつかの例では、アップリンク基準信号は、基地局によって指示されるシンボル期間中に送信され得る。いくつかの例では、アップリンク基準信号は、アップリンク制御チャネルまたはアップリンク共有チャネル、あるいは両方に関連付けられ得る。
【００１２】
[0012]  本明細書で説明されるような方法、装置、または非一時的コンピュータ可読媒体のいくつかの例では、ＲＥＧのセットは、無線リソース制御（ＲＲＣ）シグナリングを使用して通信される指示に従って準静的に（semi-statically）構成され得る。本明細書で説明されるような方法、装置、または非一時的コンピュータ可読媒体のいくつかの例では、ＲＥＧのセットは、ダウンリンクメッセージ中で通信される指示を使用して動的に構成され得る。本明細書で説明されるような方法、装置、または非一時的コンピュータ可読媒体のいくつかの例では、ＲＢのセットは、隣接しない可能性があり得る。
【００１３】
[0013]  本明細書で説明されるような方法、装置、または非一時的コンピュータ可読媒体のいくつかの例では、アップリンク制御チャネルの波形は、直交周波数分割多重化（ＯＦＤＭ）波形、離散フーリエ変換拡散ＯＦＤＭ（ＤＦＴ−Ｓ−ＯＦＤＭ）波形、またはインターリーブされた周波数分割多重化（ＩＦＤＭ）波形を含み得る。
【００１４】
[0014]  本明細書で説明されるような方法、装置、または非一時的コンピュータ可読媒体のいくつかの例は、符号分割多重化（ＣＤＭ）カバーコードを識別するための動作、機能、手段、または命令を含み得、ワイヤレス通信リンクを通じて通信することは、ＣＤＭカバーコードに少なくとも部分的に基づく。いくつかの例では、ＣＤＭカバーコードは、周波数領域中の２つ以上の異なるサブキャリアのリソース要素、または時間領域中の２つ以上の異なるシンボル期間のリソース要素、あるいはそれらの組み合わせを備え得る。いくつかの例は、アップリンク制御チャネルのペイロードサイズを決定するための動作、機能、手段、または命令を含み得、ＣＤＭカバーコードを識別することは、ペイロードサイズに少なくとも部分的に基づく。
【００１５】
[0015]  本明細書で説明されるような方法、装置、または非一時的コンピュータ可読媒体のいくつかの例では、ＲＥＧのセットの各ＲＥＧは、基準信号を備えるリソース要素（ＲＥ）とインターリーブされた、データを備えるＲＥのセットを備え、インターリーブすることは、ＲＢのセットのうちの１つのＲＢのシンボル期間中に、データを備えるＲＥのうちの１つを、基準信号を備えるＲＥのうちの１つと交互にすること（alternating・・・with）を備える。
【００１６】
[0016]  本明細書で説明されるような方法、装置、または非一時的コンピュータ可読媒体のいくつかの例では、ＲＥＧのセットの各ＲＥＧは、基準信号を備えるＲＥとインターリーブされた、データを備えるＲＥのセットを備え、インターリーブすることは、ＲＢのセットのうちの１つのＲＢのシンボル期間中に、データを備えるＲＥのうちの２つを、基準信号を備えるＲＥのうちの１つと交互にすることを備える。
【００１７】
[0017]  本明細書で説明されるような方法、装置、または非一時的コンピュータ可読媒体のいくつかの例は、アップリンク制御チャネルのコンテンツに少なくとも部分的に基づいて、ＲＥＧのセット中のＲＥＧの数量を識別するための動作、機能、手段、または命令を含み得る。
【００１８】
[0018]  本明細書で説明されるような方法、装置、または非一時的コンピュータ可読媒体のいくつかの例では、ワイヤレス通信リンクを通じて通信することは、第１のシンボル期間中に、ＲＥＧのセットの第１のＲＥＧにおいて基準信号と第１のデータとを送信することと、第１のシンボル期間に後続する第２のシンボル期間中に、ＲＥＧのセットの第２のＲＥＧの各ＲＥにおいて第２のデータを送信することとを行うための動作、機能、手段、または命令を含み得る。
【００１９】
[0019]  本明細書で説明されるような方法、装置、または非一時的コンピュータ可読媒体のいくつかの例は、ＲＥＧのセットの各ＲＥＧのために送信アンテナまたは送信ポートを識別するための動作、機能、手段、または命令を含み得る。
【００２０】
[0020]  本明細書で説明されるような方法、装置、または非一時的コンピュータ可読媒体のいくつかの例では、通信することは、アップリンク制御チャネルを備える送信時間間隔の最後のシンボル期間中に、サウンディング基準信号（ＳＲＳ）を送信するための動作、機能、手段、または命令を含み得る。
【００２１】
[0021]  本明細書で説明されるような方法、装置、または非一時的コンピュータ可読媒体のいくつかの例は、第１のＵＥに関連付けられた第１のＲＥＧ構造と、第２のＵＥに関連付けられた第２のＲＥＧ構造とを識別することと、ＲＢのセットのうちの１つのＲＢ中の第１のＲＥＧ構造を使用して、第１のＵＥから第１のアップリンク基準信号を受信することとを行うための動作、機能、手段、または命令を含み得る。いくつかの例は、ＲＢのセットのうちの別のＲＢ中の第２のＲＥＧ構造を使用して、第２のＵＥから第２のアップリンク基準信号を受信するための動作、機能、手段、または命令を含み得る。いくつかの例では、第１のＲＥＧ構造および第２のＲＥＧ構造は、少なくとも、周波数オフセット、基準信号のためのＲＥの数、またはＣＤＭカバーのうちの１つ、あるいはこれらの組み合わせにおいて異なる。いくつかの例は、第２のシンボル持続期間中に別のＲＢ中の第１のＵＥに関連付けられたＲＥＧの各ＲＥにおいてデータまたは制御情報を受信するための動作、機能、手段、または命令を含み得、ＲＥＧのセットは、第１のＵＥに関連付けられたＲＥＧを備える。
【図面の簡単な説明】
【００２２】
【図１】[0022]  図１は、本開示の態様に従った、低レイテンシ通信のためのアップリンク制御チャネル構成をサポートするワイヤレス通信システムの例を例示する。
【図２】[0023]  図２は、本開示の態様に従った、低レイテンシ通信のためのアップリンク制御チャネル構成をサポートするワイヤレス通信システムの例を例示する。
【図３Ａ】[0024]  図３Ａは、本開示の態様に従った、低レイテンシ通信のためのアップリンク制御チャネル構成の例を例示する。
【図３Ｂ】図３Ｂは、本開示の態様に従った、低レイテンシ通信のためのアップリンク制御チャネル構成の例を例示する。
【図３Ｃ】図３Ｃは、本開示の態様に従った、低レイテンシ通信のためのアップリンク制御チャネル構成の例を例示する。
【図４】[0025]  図４は、本開示の態様に従った、低レイテンシ通信のためのアップリンク制御チャネル構成をサポートするシステムにおける処理フローの例を例示する。
【図５】[0026]  図５は、本開示の態様に従った、低レイテンシ通信のためのアップリンク制御チャネル構成をサポートする単一のまたは複数のワイヤレスデバイスのブロック図を示す。
【図６】図６は、本開示の態様に従った、低レイテンシ通信のためのアップリンク制御チャネル構成をサポートする単一のまたは複数のワイヤレスデバイスのブロック図を示す。
【図７】図７は、本開示の態様に従った、低レイテンシ通信のためのアップリンク制御チャネル構成をサポートする単一のまたは複数のワイヤレスデバイスのブロック図を示す。
【図８】[0027]  図８は、本開示の態様に従った、低レイテンシ通信のためのアップリンク制御チャネル構成をサポートするＵＥを含むシステムのブロック図を例示する。
【図９】[0028]  図９は、本開示の態様に従った、低レイテンシ通信のためのアップリンク制御チャネル構成をサポートする基地局を含むシステムのブロック図を例示する。
【図１０】[0029]  図１０は、本開示の態様に従った、低レイテンシ通信のためのアップリンク制御チャネル構成のための方法を例示する。
【図１１】図１１は、本開示の態様に従った、低レイテンシ通信のためのアップリンク制御チャネル構成のための方法を例示する。
【図１２】図１２は、本開示の態様に従った、低レイテンシ通信のためのアップリンク制御チャネル構成のための方法を例示する。
【図１３】図１３は、本開示の態様に従った、低レイテンシ通信のためのアップリンク制御チャネル構成のための方法を例示する。
【詳細な説明】
【００２３】
[0030]  いくつかのワイヤレス通信システムは、ダウンリンク（ＤＬ）およびアップリンク（ＵＬ）送信間のレイテンシを低減するために、システム中で使用される他の送信時間間隔（ＴＴＩ）持続期間に関連する、低減されたまたは可変のＴＴＩ持続期間を使用し得る。低レイテンシ通信は、例えば、ハイブリッド自動再送要求（ＨＡＲＱ）フィードバックおよび再送信のための、より短いレイテンシを特徴とし得る。アップリンク制御チャネルに関する検討事項（Consideration）は、これら低レイテンシ通信については、他の非低レイテンシ通信についてのアップリンク制御チャネル設計を動機付ける検討事項とは異なり得る。例えば、ピーク対平均電力比（ＰＡＰＲ）は、概してアップリンク制御チャネル設計における動機を与える関心事（motivating concern）であり得るが、低レイテンシ通信のコンテキストではそれほど重大ではない。時間ダイバーシティ、空間ダイバーシティ、またはＨＡＲＱペイロードサイズのような他の要因が、いくつかの低レイテンシ展開ではより重大な検討事項であり得る。
【００２４】
[0031]  低レイテンシ通信をサポートするシステムにおける複数のデバイスは、そのため、アップリンク（ＵＬ）送信に関して直交周波数分割多元接続（ＯＦＤＭＡ）スキームまたは非単一キャリア周波数分割多元接続（非ＳＣ−ＦＤＭＡ）を使用することによって、無線周波数上で通信し得る。アップリンクにおけるＯＦＤＭＡまたは他の非ＳＣ−ＦＤＭＡスキームの使用は、時間ダイバーシティ、空間ダイバーシティ、またはペイロードの関心事に良好に対応し（favorably accommodate）得る。低レイテンシ通信は、同じサブフレームまたはシンボル期間中の他のＵＬ送信（例えば、異なるニューメロロジ（numerologies）に従って送られるＵＬ送信）と共存し得る。
【００２５】
[0032]  異なるチャネル構成が、例えば、アップリンク送信のペイロードサイズに依存して、直交周波数分割多重化（ＯＦＤＭ）ＵＬ制御チャネル送信のために使用され得る。例えば、比較的小さいペイロードについて、第１の構成は、（例えば、周波数領域中で隣接しないリソースブロックにわたって）周波数分散される（frequency distributed）リソース要素グループ（ＲＥＧ）に関連付けられ得、複数のＵＥについて符号分割多重化（ＣＤＭ）を使用し得る。この構成は、同じリソース要素（ＲＥ）中に多重化される、異なるＵＥからの送信を可能にし得る。そのため、より小さいペイロードは、いくつかのＵＥの制御チャネルが、異なるシンボル期間に適用されるＲＥＧマッピング全体にわたって多重化され得るため、増大された時間ダイバーシティを可能にし得る。第１の構成に従ったＲＥＧは、６個のＲＥにわたり得、ここで、ＲＥのうちの３つは、基準信号（ＲＳ）のために使用され得、ＲＥのうちの３つは、ＵＬ制御情報または他のデータのために使用され得る。
【００２６】
[0033]  第２のＵＬ構成は、異なるＵＥを多重化するために周波数分割多重化（ＦＤＭ）を使用し得る。この構成は、中位のまたは大きいペイロードに関連付けられ得、例えば、周波数領域中で隣接しないリソースブロックが使用され得るため、単一キャリア周波数分割多元接続（ＳＣ−ＦＤＭＡ）スキームを通じて増大された空間ダイバーシティを提供し得る。いくつかの場合には、動作環境がＵＬ制御構成を決定し得る。例えば、第２の構成は、周波数ダイバーシティおよびアラインされたＲＥＧサイズがその構成の助けとなる（conducive to）チャネルのために使用され得る（例えば、第２の構成が日和見的に使用され得る）。第２の構成に従ったＲＥＧもまた、６個のＲＥにわたり得るが、ＲＥのうちの２つは、ＲＳのために使用され得、ＲＥのうちの４つは、ＵＬ制御情報または他のデータのために使用され得る。
【００２７】
[0034]  上記に紹介される本開示の態様は、ワイヤレス通信システムのコンテキストで以下に説明される。特定の例は次に、第１および第２のＵＬ制御およびＲＥＧ構造に関して、さらなる詳細を提供する。本開示の態様はさらに、低レイテンシ通信のためのアップリンク制御チャネルに関連する装置図、システム図、およびフローチャートによって例示され、それらを参照して説明される。
【００２８】
[0035]  図１は、本開示の様々な態様に従った、ワイヤレス通信システム１００の例を例示する。ワイヤレス通信システム１００は、基地局１０５、ＵＥ １１５、およびコアネットワーク１３０を含む。いくつかの例では、ワイヤレス通信システム１００は、ロングタームエボリューション（ＬＴＥ）／ＬＴＥアドバンスト（ＬＴＥ−Ａ）ネットワークであり得る。ワイヤレス通信システム１００は、ＲＥＧのセットにマッピングされるＯＦＤＭアップリンク制御チャネル上の通信をサポートし得、各ＲＥＧがＲＢのセット内の異なるＲＢの部分にマッピングされる。
【００２９】
[0036]  基地局１０５は、１つまたは複数の基地局アンテナを介してＵＥ １１５とワイヤレスに通信し得る。各基地局１０５は、それぞれの地理的なカバレッジエリア１１０に対して通信カバレッジを提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ １１５は、ワイヤレス通信システム１００全体にわたって分散され得、各ＵＥ １１５は、固定またはモバイルであり得る。ＵＥ１１５はまた、モバイル局、加入者局、リモートユニット、ワイヤレスデバイス、アクセス端末（ＡＴ）、ハンドセット、ユーザエージェント、クライアント、または同様の専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ）デバイス、または同様のものであり得る。いくつかのＵＥ１１５は、他のＵＥ１１５によって使用されるＴＴＩに関連するより短い持続期間を有する送信時間間隔（ＴＴＩ）を使用して、低レイテンシ通信をサポートし得る。低レイテンシ通信のために構成されるまたは低レイテンシ通信を可能にするＵＥ１１５は、低レイテンシＵＥ１１５と呼ばれ得るが、一方、他のＵＥ１１５は、非低レイテンシＵＥ１１５またはレガシＵＥ１１５と呼ばれ得る。
【００３０】
[0037]  基地局１０５は、コアネットワーク１３０と、および互いと通信し得る。例えば、基地局１０５は、バックホールリンク１３２（例えば、Ｓ１など）を通じてコアネットワーク１３０とインターフェースをとり得る。基地局１０５はまた、（例えば、コアネットワーク１３０を通じて）直接的にまたは間接的に、バックホールリンク１３４（例えば、Ｘ２など）を介して互いと通信し得る。基地局１０５は、ＵＥ １１５との通信のために無線構成およびスケジューリングを行い得るか、または基地局コントローラ（図示されない）の制御下で動作し得る。いくつかの例では、基地局１０５は、マクロセル、スモールセル、ホットスポット、または同様のものであり得る。基地局１０５はまた、ｅノードＢ（ｅＮＢ）１０５とも呼ばれ得る。様々な基地局１０５は、低レイテンシ通信することが可能であり得る。
【００３１】
[0038]  フレーム構造は、物理的なリソース（例えば、周波数領域および時間領域中の無線リソース）を組織化（organize）するために使用され得る。フレームは、１０個の等しいサイズであるサブフレームにさらに分割され得る１０ｍｓ間隔であり得る。各サブフレームは、２つの連続するタイムスロットを含み得る。各スロットは、６または７つのＯＦＤＭＡシンボル期間を含み得る。リソース要素（ＲＥ）は、１つのシンボル期間および１つのサブキャリア（１５ＫＨｚ周波数範囲）から成る。リソースブロック（ＲＢ）は、各ＯＦＤＭシンボル期間中のノーマルサイクリックプリフィックスに関して、時間領域（１スロット）中の７個の連続するＯＦＤＭシンボル期間および周波数領域中で隣接する１２個のサブキャリア、すなわち８４個のリソース要素を含み得る。いくつかのリソース要素は、ＤＬ基準信号（ＤＬ−ＲＳ）を含み得る。ＤＬ−ＲＳは、セル固有の基準信号（ＣＲＳ）およびＵＥ固有のＲＳ（ＵＥ−ＲＳ）を含み得る。ＵＥ−ＲＳは、物理ダウンリンク共有チャネル（ＰＤＳＣＨ）に関連付けられたリソースブロック上で送信され得る。各リソース要素によって搬送されるビットの数は、変調スキーム（例えば、各シンボル期間中に選択され得るリソース要素の構成）に依存し得る。よって、ＵＥが受信するリソースブロックが多いほど、また変調スキームが高度であるほど、データレートは高くなり得る。
【００３２】
[0039]  ダウンリンク制御情報は、物理ダウンリンク制御チャネル（ＰＤＣＣＨ）を使用して、基地局１０５からＵＥ１１５に送信され得る。ＰＤＣＣＨは、制御チャネル要素（ＣＣＥ）中でダウンリンク制御情報（ＤＣＩ）を搬送し得、それは、９個の論理的に隣接するリソース要素グループ（ＲＥＧ）から成り得、ここで、各ＲＥＧは、例えば、４個のリソース要素（ＲＥ）を含む。ＤＣＩは、ＤＬスケジューリング割り当て、ＵＬリソース許可、送信スキーム、ＵＬ電力制御、ＨＡＲＱ情報、ＭＣＳに関する情報、および他の情報を含み得る。ＤＣＩメッセージのサイズおよびフォーマットは、ＤＣＩによって搬送される情報のタイプおよび量によって異なり得る。例えば、空間多重化がサポートされる場合、ＤＣＩメッセージのサイズは、隣接する周波数割り振りと比較して大きくなり得る。同様に、ＭＩＭＯを利用するシステムに関して、ＤＣＩは、追加のシグナリング情報を含まなければならない。ＤＣＩサイズおよびフォーマットは、情報の量、および、帯域幅、アンテナポートの数、および多重化モード（duplexing mode）のような要因に依存し得る。
【００３３】
[0040]  アップリンク制御情報は、物理アップリンク制御チャネル（ＰＵＣＣＨ）を使用して、ＵＥ１１５から基地局１０５に送信され得る。ＰＵＣＣＨは、ＵＬ確認応答（ＡＣＫ）、スケジューリング要求（ＳＲ）、チャネル品質インジケータ（ＣＱＩ）、および他のＵＬ制御情報のために使用され得る。いくつかの場合には、ＰＵＣＣＨは、１つのコードおよび２つの連続したリソースブロックによって定義される制御チャネルにマッピングされ得る。ＵＬ制御シグナリングは、セルについてのタイミング同期の存在に依存し得る。ＳＲおよびＣＱＩレポートのためのＰＵＣＣＨリソースは、ＲＲＣシグナリングを通じて割り当てられ（および取り消され（revoked））得る。いくつかの場合には、ＳＲのためのリソースは、ランダムアクセスチャネル（ＲＡＣＨ）プロシージャを通じて同期を取得した後に割り当てられ得る。他の場合には、ＳＲは、ＲＡＣＨを通じてＵＥ１１５に割り当てられない可能性がある（すなわち、同期されたＵＥは、専用のＳＲチャネルを有し得るかまたは有していない可能性がある）。ＳＲおよびＣＱＩのためのＰＵＣＣＨリソースは、ＵＥがもはや同期されないときに失われ得る。
【００３４】
[0041]  いくつかの場合には、ＰＵＣＣＨは、単一キャリア周波数分割多元接続（ＳＣ−ＦＤＭＡ）を使用して送信されるが、他の場合には、ＯＦＤＭまたは他の多重化構成が（例えば、低レイテンシ通信のために）使用され得る。低レイテンシ通信に関して、ＰＵＣＣＨはまた、本明細書で説明されるようなＲＥＧに従って組織化され得る。低レイテンシ通信のための制御チャネル（例えば、低レイテンシＰＵＣＣＨ）は、連続的なまたは隣接したＲＢにマッピングされ得るかまたはされない可能性がある。
【００３５】
[0042]  いくつかの場合には、ワイヤレス通信システム１００は、１つの拡張型ＣＣ（ｅＣＣ：enhanced CC）または２つ以上のｅＣＣを利用し得る。ｅＣＣは、より広い帯域幅、より短いシンボル持続期間、より短い送信時間間隔（ＴＴＩ）、および修正された制御チャネル構成を含む、１つまたは複数の機能を特徴とし得る。いくつかの場合には、ｅＣＣは、（例えば、複数のサービングセルが準最適（suboptimal）または非理想的バックホールリンクを有するとき）キャリアグリゲーション構成またはデュアル接続構成に関連付けられ得る。ｅＣＣはまた、（２以上のオペレータがスペクトルを使用することを許可する場合）無認可スペクトルまたは共有スペクトルで使用するために構成され得る。広帯域幅を特徴とするｅＣＣは、例えば、帯域幅全体をモニタすることが可能でないか、または（例えば、電力を節約するために）限定された帯域幅を使用することを好むＵＥ１１５によって利用され得る１つまたは複数のセグメントを含み得る。
【００３６】
[0043]  いくつかの場合には、ｅＣＣは、他のコンポーネントキャリア（ＣＣ）とは異なるシンボル持続期間を利用し得、それは、他のＣＣのシンボル持続期間と比較して低減されたシンボル持続期間の使用を含み得る。より短いシンボル持続期間は、増加されたサブキャリア間隔（increased subcarrier spacing）に関連付けられる。ｅＣＣを利用するＵＥ１１５または基地局１０５のようなデバイスは、低減されたシンボル持続期間（例えば、１６．６７μｓ）において、広帯域信号（例えば、２０、４０、６０、８０ＭＨｚなど）を送信し得る。ｅＣＣにおけるＴＴＩは、１つまたは複数のシンボルから成り得る。いくつかの場合には、ＴＴＩ持続期間（すなわち、ＴＴＩにおけるシンボルの数）は、可変であり得る。
【００３７】
[0044]  ＵＥ１１５または基地局１０５は、低レイテンシ通信のためのＲＥＧのセットを識別し得、ここで、各ＲＥＧは、ＲＢのセットのうちの異なるＲＢの部分を含み得、ＲＢのセットのうちの複数のＲＢは、隣接するかまたは隣接しない可能性があり得る。デバイスは次に、選択されたＲＥＧにアップリンク制御チャネルをマッピングし、そのアップリンク制御チャネル上で適宜通信し得る。基準信号もまた、同じＲＢ中で送信され得、ＲＥＧは、基準信号のために使用されるリソースの周辺にマッピングされ得る。いくつかの場合には、複数のＵＥ１１５は、（例えば、制御ペイロードが比較的小さい場合に）符号分割多重化（ＣＤＭ）を使用して、同じリソースを使用してアップリンク制御データを送信し得る。他の場合には、複数のＵＥは、周波数分割多重化（ＦＤＭ）され得る。
【００３８】
[0045]  図２は、本開示の態様に従った、低レイテンシ通信のためのアップリンク制御チャネルをサポートするワイヤレス通信システム２００の例を例示する。ワイヤレス通信システム２００は、基地局１０５−ａと、ＵＥ１１５−ａおよび１１５−ｂとを含み得、それは、図１を参照して説明される対応するデバイスの例であり得る。ワイヤレス通信システム２００は、ＲＥＧのセットにマッピングされたＵＬ制御チャネル上の通信をサポートし得る。
【００３９】
[0046]  ワイヤレス通信システム２００は、ＤＬおよびＵＬ送信間のレイテンシを低減するために（すなわち、低レイテンシ動作）、低減されたまたは可変のＴＴＩ持続期間を使用し得る。いくつかの場合には、低レイテンシＴＴＩは、１つのＬＴＥシンボル期間、またはノーマルサイクリックプリフィックス（ＣＰ）に関する約７１μｓおよび拡張されたＣＰに関する約８３μｓに対応し得る。しかしながら、他のＴＴＩ持続期間（例えば、２つのＬＴＥシンボル期間、１スロットなど）が利用可能である。
【００４０】
[0047]  いくつかのワイヤレス通信システムは、複数のワイヤレスデバイスによる通信のためにＳＣ−ＦＤＭＡを使用し得る。追加的にまたは代替的に、ワイヤレス通信システム２００は、ＯＦＤＭまたは他の多重化技法を使用し得る。例えば、ＵＥ１１５−ａおよびＵＥ１１５−ｂのような複数のＵＥ１１５は、直交サブキャリア周波数とシンボル期間と（例えば、トーン間隔がシンボル長に反比例し得る）に基づいてＯＦＤＭを使用してアップリンク制御データを送信し得る。これは、ある特定の場合には、通信効率を増大させ、実装コストを低減し得る。例えば、地理的領域おいて見られるスモールセルの数量が増加するとき、所与の基地局１０５によってサービスされるＵＥ１１５の数量は、それに対応して減少し得る。基地局１０５およびＵＥ１１５のある特定の設計特性およびコンポーネントもまた、（例えば、デバイス・ツー・デバイス通信、車車間通信などのために設計されるサービスに起因して）類似し得る。基地局１０５およびＵＥ１１５に関して共通の通信能力を使用することは、低減された実装および動作コストをサポートし得る。
【００４１】
[0048]  ワイヤレス通信システム２００は、ＵＬ送信のためにＯＦＤＭベースの低レイテンシ通信を使用し得、それは、同じサブフレームまたはシンボル期間中の他のＵＬ送信（例えば、ＰＵＣＣＨ、物理アップリンク共有チャネル（ＰＵＳＣＨ）、ＳＲＳ、物理ランダムアクセスチャネル（ＰＲＡＣＨ）などを含むトラフィック）と共存し得る。ＤＬ送信は、全てのＵＥ１１５に共通のセル固有基準信号（ＣＲＳ）を利用し得るが、一方、ＵＬ基準信号は、ＵＥ固有のものであり得る。結果として、ＵＬ ＲＳは、ＤＬ復調基準信号（ＤＭ−ＲＳ）のものに類似する態様を有し得る。ＵＬ送信はまた、ＣＲＳのものに類似する態様を有し得、ここで、異なるＵＥ１１５（例えば、ＵＥ１１５−ａおよびＵＥ１１５−ｂ）は、異なる周波数オフセット、シンボル期間オフセット、サイクリックシフトなどを有し得る。いくつかの場合には、基準信号（ＲＳ）およびデータは、同じ変調シンボル中でオーバーレイされ得る。
【００４２】
[0049]  いくつかの場合には、ＣＤＭ特性を用いたＰＵＣＣＨを含む送信は、ＤＬ送信中の制御データの量に起因して、ＦＤＭを使用する送信よりも、さらに効率的であり得る。例えば、キャリアアグリゲーション（ＣＡ）および拡張型ＣＡ（ｅＣＡ）において、それは、多数のコンポーネントキャリア（ＣＣ）を使用し得、使用される制御データの量に基づいて、差がより小さくなり得る（例えば、いくつかの場合には、ＣＡ送信は、より多くのＵＬ制御情報を含み得る）。いくつかの場合には、ＳＲＳ送信もまた使用され得る。
【００４３】
[0050]  一例では、ＵＬ通信リンク（例えば、ＵＬ通信リンク２１０−ａおよび２１０−ｂ）は、ＳＣ−ＦＤＭＡを使用する制御チャネルを含み得、データは、ＯＦＤＭを使用して多重化され得る。このタイプの構成は、リンクバジェット制限に対処し（address）得、より少ないリソースフラグメンテーション（resource fragmentation）をもたらし得る。代替的に、ＯＦＤＭに基づく構成が使用され得る。これらの場合には、ＲＳ設計は、ＣＲＳのものと類似する態様を有し得、ここで、異なるＵＥは、異なる周波数オフセットに関連付けられ得る。
【００４４】
[0051]  例えば、方程式ｍｏｄ（Ｃ−ＲＮＴＩ，３）は、（例えば、トウアンテナ（tow antennas）を使用して）セル固有無線ネットワーク一時識別子（Ｃ−ＲＮＴＩ：cell specific radio network temporary identity）に基づいて周波数オフセットを決定するために使用され得る。いくつかの例では、周波数オフセットは、特定のＵＥ１１５に基づいて構成されるかまたは示され得る。（例えば、ダウンリンク制御チャネルでの）動的指示は、同じＲＢ中の異なるＵＥ１１５の多重化をサポートし得る。ＲＳ設計の存在はまた、準静的指示と動的指示との組み合わせに基づいて決定され得る。例えば、所与のサブフレームのシンボル０／４／７／１１において、ＲＳは、ＵＥ１１５−ａまたはＵＥ１１５−ｂがＰＵＣＣＨを送信する場合に、常に送信され得る。シンボル中の第１のＰＵＣＣＨ送信が０／４／７／１１でない場合、ＲＳは、他の検討事項に基づいて決定され得る。例えば、ＲＳの存在は、固定されたロケーションに基づき得、ＲＳのその後の発生（occurrence）は、ＲＳの最初の発生に基づいてリソースにマッピングされ得る。
【００４５】
[0052]  異なるＵＬチャネル構成は、ＯＦＤＭがＵＬ制御チャネルのために利用されるときに使用され得る。タイプ１制御チャネルと呼ばれるものにおいて、ＵＬ制御情報は、周波数分散される（すなわち、周波数領域中で隣接しないＲＥを有する）ＲＥＧにマッピングされ得、ＣＤＭを使用し得る。いくつかの例では、タイプ１制御チャネルは、比較的小さいペイロードに関連付けられ得、異なるＵＥ１１５は、同じＲＥ中に多重化され得る。
【００４６】
[0053]  タイプ２制御チャネルと呼ばれ得るものにおいて、ＵＬ制御情報は、ＣＣＥ内のＲＥＧにマッピングされ得、複数のＵＥのためのＦＤＭを使用し得る。いくつかの例では、タイプ２制御チャネルは、中位のまたは大きいペイロードに関連付けられ得、異なるＵＥ１１５は（例えば、ＣＤＭを使用して）同じＲＥ中に多重化されない可能性がある。いくつかの場合には、タイプ１制御チャネルのための動作環境は、タイプ２制御チャネルのためのものとは異なり得る。
【００４７】
[0054]  ＵＬ通信のために使用されるタイプ１制御チャネルとともに、ＲＳ ＲＥのためのＣＤＭ、データＲＥ（例えば、基準信号ではなくむしろデータまたは制御情報を含むＲＥ）のためのＣＤＭ、および周波数ダイバーシティが存在し得る。一例では、各ＲＥＧは、インターリーブ方式で、３個のＲＳ ＲＥと、３個のデータＲＥから成る６個のＲＥにわたり得る。いくつかの例では、シンボルは、ＲＳまたはデータを有し得、ここで、データを含むシンボルは、以前の（earlier）シンボルからのＲＳが制御データ復調のために使用され得る場合には、比較的頻度が高くなり得る。
【００４８】
[0055]  いくつかの場合には、長さ３の離散フーリエ変換（ＤＦＴ）がＣＤＭ動作のために使用され得る。例えば、３つの異なるシーケンスは、下記のカバーコードを使用して識別され得る：  
【数１】
2018537020.tif 000003
個々のＵＥは、（例えば、ダウンリンク制御チャネルの開始リソース、ＰＤＳＣＨブロックインデックス、制御チャネルにおける情報フィールドなどに基づいて）使用するために３つのシーケンスのうちの１つを決定し得る。
【００４９】
[0056]  各制御チャネルは、いくつかのＲＥＧ（例えば、３個または４個）を含み得、ここで、ＲＢにわたるＲＥの関連付けられたマッピングが構成され、基地局１０５−ａによって示されるか、または動的に決定され得る。ＲＢは、周波数分散され得る（例えば、周波数領域中で隣接しない）。例えば、送信が１ビットのスケジューリング要求（ＳＲ）を含む場合、無線リソース制御（ＲＲＣ）構成リソースが存在し得る。追加的にまたは代替的に、ハイブリッド自動再送要求（ＨＡＲＱ）確認応答（ＡＣＫ）が含まれる場合、リソースは、ＰＤＣＣＨまたはＰＤＳＣＨ、または両方に基づいて動的に決定され得る。
【００５０】
[0057]  タイプ１制御チャネル設計では、１つのシンボルまたは２つ以上のシンボルが制御チャネル送信のために使用され得る。１つのシンボル制御チャネルを使用するとき、制御チャネルは、シンボル期間中の４つのＲＢにわたり得、ここで、各ＲＢは、周波数領域中でインターリーブされたＲＳ ＲＥおよびデータＲＥを含む１つのＲＥＧを含む。その制御チャネルのシンボル期間に後続する第２のシンボル期間もまた４つのＲＢにわたり得、各々が、データのみの１つのＲＥＧを有し、ここで、第１のシンボル期間に位置付けられたＲＳは、第２のシンボル期間の復調のために使用され得る。第２のシンボル期間の間、長さ３のＤＦＴは、（３個のインターリーブされたＲＥのために）使用され得るか、または代替的に、長さ６の直交シーケンスが使用され得る。２つのシンボル期間が使用される例では、各シンボル期間は、各シンボル期間において２つのＲＢわたり得、各シンボル期間が１つのＲＥＧを有する。いくつかの例では、単一のシンボル期間を使用する制御チャネルと比較すると、２つのシンボル期間を使用するより多くの時間ダイバーシティが存在し得る。
【００５１】
[0058]  いくつかの場合には、ＵＬ ＲＥＧ構成は、ＵＥ固有であり得、ＤＬ ＲＥＧとは異なり得る。例えば、いくつかのＲＥＧは、シンボル期間中のＲＥＧについて３個のＲＳ ＲＥと、３個のデータＲＥ（例えば、制御情報またはデータを搬送するＲＥ）を有し得る。しかし、別のＵＥ１１５は、同じシンボル期間中（であるが、異なるＲＥ中）に、６個の制御ＲＥまたは６個のデータＲＥを有するＲＥＧを有し得る。すなわち、いくつかの例では、第１のＵＥ１１５−ａは、シンボル期間中のＲＢにおいて６個の制御データＲＥを有するＲＥＧを有し得るが、一方、第２のＵＥ１１５−ｂは、同じシンボル期間の同じＲＢにおいて３個のＲＳ ＲＥと、３個の制御データＲＥを有するＲＥＧを有し得る。
【００５２】
[0059]  別の構成（すなわち、タイプ２）では、ＵＬ通信のために使用される制御チャネルは、ＦＤＭに基づき得る。タイプ２チャネルは、周波数ダイバーシティに関して構成され得、アラインされたＲＥＧサイズ（例えば、他の制御チャネルとアラインされているＲＥＧサイズ）に基づき得る。タイプ２チャネルのいくつかの例では、各ＲＥＧは、インターリーブ方式で、２個のＲＳ ＲＥと４個のデータＲＥとを含む、６個のＲＥを含み得る。タイプ２制御チャネルの構成は、上述されたタイプ１制御チャネルとは異なり得るか、またはタイプ１設計の類似の態様を組み込み得る。
【００５３】
[0060]  いくつかの場合には、送信されたシンボルは、ＲＳまたはデータのいずれか、あるいは両方を有し得、ここで、データは、以前のシンボル期間からのＲＳが制御データ復調のために使用され得る場合に、より多くなり得る。各制御チャネルは、１つまたは複数のＣＣＥを有し得、各々が３個または４個のＲＥＧを含み、ここで、ＲＢのロケーションが構成され得るかまたは示され得、周波数分散され得る。例えば、１つのＣＣＥが使用される場合、３個のＲＥＧは、ＣＣＥごとに１２個の制御データＲＥを可能にし得、各ＲＥＧが６個の制御データＲＥを有する場合に、最大１８個のＲＥＧが使用され得る。代替的に、１つのＣＣＥが使用される場合、３個のＲＥＧがＣＣＥごとに１６個の制御データＲＥを可能にし得、各ＲＥＧが６個の制御データＲＥを有する場合、最大２４個のＲＥＧがあり得る。
【００５４】
[0061]  タイプ２制御チャネルについてのＲＥＧ構造ごとのＲＳの例のように、上述されるような周波数領域中でインターリーブされたＲＳ ＲＥおよびデータＲＥが存在し得るが、いくつかの場合には、ＲＥＧ内に２個のＲＳ ＲＥと４個のデータＲＥが存在し得、ここで、１つのＣＣＥは、１つのシンボル制御チャネルを使用しているときに、３つのＲＥＧを有し得る。第１のシンボル期間中に、３個のＲＢが使用され得、インターリーブされたＲＳおよびデータを含む１つのＲＥＧを各々が有している。第２のシンボル期間は、３個のＲＢを含み得、データを含む１つのＲＥＧを各々が有し、それは、復調のために前のシンボル期間のＲＳを利用し得る。いくつかの場合には、異なるＲＳパターンが使用され得る（例えば、ＲＥＧ中の１つのＲＳ ＲＥ、続いて２つのデータＲＥ、続いて１つのＲＳ ＲＥ、続いて２つのデータＲＥ（すなわち、「ＲＤＤＲＤＤ」）のシーケンスの代わりに、ＲＥＧ中の１つのＲＳ ＲＥ、続いて４つのデータＲＥ、続いて１つのＲＳ ＲＥ（すなわち、「ＲＤＤＤＤＲ」のシーケンス）が利用され得る。）２つ以上のシンボル期間が制御チャネルのために使用されるとき、例えば、それのＲＥＧは、増大された時間ダイバーシティに関する異なるシンボル期間から識別され得る。
【００５５】
[0062]  いくつかの例では、制御チャネルのためのＣＣＥマッピングは、準静的に構成され得るか、動的に決定または示されるか、あるいは両方の組み合わせであり得る。ＣＣＥロケーションは、制御チャネル上で送信されるアップリンク制御情報（ＵＣＩ）の組み合わせにさらに依存し得る。いくつかの場合には、チャネル状態情報（ＣＳＩ）またはスケジューリング要求（ＳＲ）フィードバックに関して、ＣＣＥは、ＲＲＣ構成を介して示され得る。ハイブリッド自動ＨＡＲＱフィードバックに関して、動的な指示／決定が使用され得、それは、ＰＤＣＣＨまたはＰＤＳＣＨ、あるいは両方とリンクされ得る。いくつかの例では、ＣＣＥの数は、準静的に構成されるか、または動的に導出され得、ＵＣＩとそれぞれのペイロードサイズの組み合わせへの依存が存在し得る。
【００５６】
[0063]  いくつかの場合には、ＵＥ１１５が２つ以上の送信アンテナを有するとき、アンテナ選択、切り替え、またはダイバーシティベースの動作が使用され得る。例えば、ＵＥ１１５は、第１のアンテナのためにＲＥＧ２のようなＲＥＧのための最良のアンテナを選定し（pick）得、次に第２のアンテナのためにＲＥＧ１およびＲＥＧ３を選定し得る。ＵＥ１１５はまた、ＲＥＧにわたって送信ポートを交互にし（alternate）得る。代替的に、第２の送信ポートは、ＲＥＧの別のセットに関連付けられ得、それは、空間直交リソース送信ダイバーシティ（ＳＯＲＴＤ：spatial orthogonal resource transmit diversity）に類似し得る。
【００５７】
[0064]  いくつかの場合には、制御チャネルは、ＯＦＤＭ波形以外の波形を使用して送信され得る。すなわち、タイプ１またはタイプ２制御チャネル設計は、例えば、改善されたピーク対平均電力比（ＰＡＰＲ）、したがってより良いリンク効率のための、マルチクラスタ離散フーリエ変換拡散ＯＦＤＭ（ＤＦＴ−Ｓ−ＯＦＤＭ）またはインターリーブされた周波数分割多重化（ＩＦＤＭ）をより効率的に使用し得る。結果として、ＵＥ１１５のためのＯＦＤＭベースの制御チャネルとは対照的に、マルチクラスタ／ＩＦＤＭベースの制御チャネルが存在し得る。
【００５８】
[0065]  いくつかの場合には、ＵＬデータチャネル設計は、ＲＳ配置（placement）を決定し得る。その配置は、いくつかの低レイテンシＰＵＳＣＨ構成のためのＯＦＤＭベースの制御チャネルについてのＲＳ設計に類似し得る。低レイテンシＰＵＳＣＨは、ｕＰＵＳＣＨと呼ばれ得、低レイテンシＰＵＣＣＨは、ｕＰＵＣＣＨと呼ばれ得る。ｕＰＵＳＣＨおよびｕＰＵＣＣＨのためのＲＳは、ランク１ｕＰＵＳＣＨ送信でのように共有され得る。ＲＳ密度（例えば、空間密度、時間密度、または周波数密度）もまた、ＰＵＣＣＨのものとは異なり得、時間領域中のＣＤＭ動作は、より高ランクのｕＰＵＳＣＨ送信のために必要であり得る。いくつかの場合には、リソース割り当てが未だＲＢベースであり得、ここで、ＤＬリソース割り振りタイプは容易に再利用され得る。しかしながら、ｕＰＵＳＣＨのための最大帯域幅は、いくつかのＲＢが非低レイテンシ（例えば、レガシ）ＰＵＣＣＨ動作のために確保され得る、最大の可能性のあるＵＬ帯域幅とは異なり得る。
【００５９】
[0066]  いくつかの場合には、サブフレーム中の最後のシンボルは、そのサブフレームがセル固有サウンディング基準信号（ＳＲＳ）サブフレームである場合、ＳＲＳのために確保され得る。いくつかのワイヤレスシステムとの共存のために、２つのタイプのＳＲＳのサポートが存在し得る。ｕＰＵＣＣＨおよびｕＰＵＳＣＨのためのＲＳは、最後のシンボルにおけるＳＲＳのサウンディングおよびサポートのために使用され得る。追加的にまたは代替的に、低レイテンシ動作（例えば、ｕＰＵＣＣＨ構成）と他のシステム構成との整合性（compatibility）は、非低レイテンシ通信のために使用される構成を活用することによって維持され得る。例えば、既存の（例えば、非レイテンシ）物理ランダムアクセスチャネルは、再利用され得る。
【００６０】
[0067]  図３Ａ、３Ｂ、および３Ｃは、低レイテンシ通信のためのアップリンク制御チャネル構成３０１、３０２、およびの３０３の例を例示する。いくつかの場合には、アップリンク制御チャネル構成３０１、３０２、および３０３は、図１−２を参照して説明されるようなＵＥ１１５または基地局１０５によって行われる技法の態様を表し得る。図３Ａ−３Ｃは、アップリンク制御チャネルをＲＥＧのセットにマッピングするためのＲＢ構成を描く。ＲＢロケーションは、上述されるような、タイプ１またはタイプ２制御チャネルなどを有する異なる送信技術に関して異なって構成され得る。
【００６１】
[0068]  図３Ａは、タイプ１制御チャネル送信のためのアップリンク制御チャネル構成３０１を例示する。例えば、第１のシンボル期間３０５−ａ中のＵＬ送信は、ＲＢ３１０−ａのような、周波数領域中で隣接しない４つのＲＢ３１０にわたり得、ここで、各ＲＢは１つのＲＥＧを含み得る。すなわち、ＲＢ３１０−ａは、ＲＳ ＲＥ３２０−ａとインターリーブされた（例えば、サブキャリアを交互にする際に）、ＲＢ３１０−ａ内の複数のＲＥを含む、ＲＥＧ３１５−ａを含み得る。いくつかの場合には、ＲＥＧ３１５−ａは、３個のＲＳ ＲＥ３２０−ａと３個のデータＲＥ３２５−ａとを含む、６個のＲＥを含み、ここで、ＲＳ ＲＥ３２０−ａおよびデータＲＥ３２５−ａは、インターリーブ方式で送信され得る。長さ３の離散フーリエ変換（ＤＦＴ）（または別のＤＦＴ）は、複数のＵＥ１１５を多重化するＣＤＭのために使用され得、ここで、各ＵＥ１１５は、ＤＬ ＰＤＳＣＨブロックインデックス、ＰＤＣＣＨにおける情報フィールドなどに基づいて使用するためのシーケンスを決定し得る。
【００６２】
[0069]  いくつかの場合には、第２のシンボル期間３０５−ｂのＲＥＧ３１５は、ＲＳ ＲＥのみまたはデータＲＥのみを含み得る。例えば、４つのＲＢ３１０−ｂを含む第２のシンボル期間３０５−ｂでは、各ＲＢ３１０−ｂは、６個のデータＲＥ３２５−ｂを含むＲＥＧ３１５−ｂを含み得る。このような場合には、以前のシンボル期間（例えば、第１のシンボル期間３０５−ａ）からのＲＳは、制御データ復調のために使用され得る。いくつかの例では、ＲＥＧ３１５−ｂは、６個のＲＳ ＲＥを含み得る。長さ３のＤＦＴは、３つのインターリーブされたＲＥのために使用され得るか、または代替的に、新規の直交シーケンスが使用され得る。いくつかの場合には、ＲＢ３１０−ａの第２の部分３３０は、１つまたは複数の異なるＵＥ１１５からの送信のために使用され得る。
【００６３】
[0070]  図３Ｂは、２シンボルタイプ１制御（two-symbol Type 1）チャネル送信のためのアップリンク制御チャネル構成３０２を例示し、ここで、各シンボル期間は、２つのＲＢ３１０からのＲＥを含み得る。例えば、第１のシンボル期間３０５−ｃ内のＲＢ３１０−ｃは、周波数領域中でインターリーブされた３個のＲＳ ＲＥ３２０−ｂと３個のデータＲＥ３２５−ｃとを含む、ＲＥＧ３１５−ｃを含み得る。第２のシンボル期間３０５−ｄは、６個のデータＲＥ３２５−ｄを含む、ＲＢ３１０−ｄを含み得、上述されるように、以前のシンボル期間（例えば、第１のシンボル期間３０５−ｃ）からの基準信号は、制御復調のために使用され得る。ＲＥＧはまた、６個のＲＳ ＲＥ、またはＲＳ ＲＥとデータＲＥとの組み合わせを含み得る。２シンボルタイプ１（two-symbol Type 1）制御チャネル送信は、１シンボルタイプ１（one-symbol Type 1）制御チャネル送信と比較すると、比較的多くの時間ダイバーシティに関連付けられ得る。
【００６４】
[0071]  図３Ｃは、１シンボルタイプ２制御チャネル送信のためのアップリンク制御チャネル構成３０３を例示する。例えば、第１のシンボル期間３０５−ｅは、ＲＥＧ３１５−ｅを含む３つのＲＢ３１０−ｅを含み得る。ＲＥＧ３１５−ｅは、周波数領域中でインターリーブされたＲＳ ＲＥ３２０−ｃとデータＲＥ３２５−ｅとを含み得、ここで、ＲＥＧ３１５−ｅごとに２つのＲＳ ＲＥ３２０−ｃが存在する。いくつかの例では、異なるＲＳ ＲＥおよびデータＲＥのパターンがＲＥＧ３１５−ｅ中で使用され得る。すなわち、ＲＥＧは、パターンＲＤＤＤＤＲ（ここで、ＲはＲＳ ＲＥを示し、ＤはデータＲＥを示す）に続くＲＥを含み得る。ＲＥはまた、パターンＲＤＤＲＤＤまたは他のパターンに従って組織化され得る。
【００６５】
[0072]  第２のシンボル期間３０５−ｆは、ＲＥＧ３１５−ｆを含む３つのＲＢ３１０−ｆを同様に含み得る。ＲＥＧ３１５−ｆは、データＲＥ３２５−ｆ、またはＲＳ ＲＥ、またはＲＳ ＲＥとデータＲＥとの組み合わせを含み得る。データＲＥ３２５−ｆのみが含まれる場合には、前のシンボル期間（例えば、第１のシンボル期間３０５−ｅ）からの基準信号は次に、第２のシンボル期間３０５−ｆのＲＥの復調のために使用され得る。いくつかの場合には、２つ以上のシンボル期間が制御チャネル通信のために使用されるとき、異なるシンボル期間からのＲＥＧを使用することは、増大された時間ダイバーシティに対応し得る。
【００６６】
[0073]  図４は、本開示の様々な態様に従った、低レイテンシ通信のためのアップリンク制御チャネルをサポートするシステムのための処理フロー４００の例を例示する。処理フロー４００は、基地局１０５−ｂとＵＥ１１５−ｃとを含み得、それは、図１−２を参照して説明される対応するデバイスの例であり得る。
【００６７】
[0074]  ４０５において、ＵＥ１１５−ｃおよび基地局１０５−ｂは、（例えば、レガシＰＲＡＣＨプロシージャまたは同様のものを使用して、低レイテンシ動作に基づいて）ワイヤレス通信リンクを確立し得る。通信リンクは、アップリンクおよびダウンリンク通信の両方を含み得る。アップリンク通信は、ユーザデータと制御データとの両方を含み得、それは、制御情報とも呼ばれ得る。
【００６８】
[0075]  ４１０において、ＵＥ１１５−ｃおよび基地局１０５−ｂは、ＵＬ制御送信のためのＲＥＧのセットを識別し得、ここで、各ＲＥＧは、ＲＢのセット（例えば、隣接するまたは隣接しない複数のＲＢ）のうちの異なるＲＢの部分を含み得る。いくつかの場合には、ＲＥＧのセットは、ＲＲＣシグナリングを使用して、準静的に構成され得る。いくつかの場合には、ＲＥＧのセットは、ダウンリンクメッセージ中で通信される指示を使用して動的に構成され得る。各ＲＥＧは、周波数領域中でインターリーブされたデータＲＥおよびＲＳ ＲＥを含むＲＥのセットを含み得、ここで、インターリーブすることは、制御データＲＥの１つまたは２つを、ＲＳ ＲＥの１つと交互にすることを含み得る。いくつかの例では、ＵＥ１１５−ｃおよび基地局１０５−ｂは、オフセット（例えば、周波数オフセット、シンボル期間オフセット、サイクリックシフトなど）を識別し得、それらは、ＲＳ送信に適用され得る。識別されたオフセットは、具体的には、ＵＥ１１５−ｃに関連付けられ得る。
【００６９】
[0076]  ４１５において、ＵＥ１１５−ｃおよび基地局１０５−ｂは、ＲＥＧのセットにワイヤレス通信リンクのためのアップリンク制御チャネルを各々マッピングし得る。いくつかの場合には、ＵＥ１１５−ｃおよび基地局１０５−ｂは、アップリンク制御チャネルのペイロードサイズを決定し、そのペイロードサイズに基づいてＣＤＭカバーコードをさらに識別し得る。いくつかの場合には、ＵＥ１１５−ｃおよび基地局１０５−ｂは、アップリンク制御チャネルのコンテンツに基づいて、ＲＥＧのセット中のＲＥＧの数量を識別し得る。
【００７０】
[0077]  ４２０において、ＵＥ１１５−ｃは、ＲＥＧのセットを使用してアップリンク制御チャネル上で基地局１０５−ｂと通信し得る。例えば、ＵＥ１１５−ｃは、基地局１０５−ｂにアップリンク制御情報を送信し得る。いくつかの場合には、ＵＥ１１５−ｃはまた、ＲＢのセットの各ＲＢにおいて識別されたオフセットを使用してアップリンクＲＳを送信し得、ここで、アップリンクＲＳは、基地局１０５−ｂによって示される時間において、アップリンク制御チャネルを含むシンボル期間中に送信され得る。アップリンクＲＳは、アップリンク制御チャネルまたはアップリンク共有チャネル、あるいは両方に関連付けられ得る。
【００７１】
[0078]  いくつかの場合には、ワイヤレス通信リンクを通じて通信することは、ＣＤＭカバーコードに基づき得る。すなわち、複数のＵＥ１１５は、ＵＬ制御チャネル中で多重化され得る。いくつかの例では、アップリンク制御チャネルの波形は、ＯＦＤＭ波形、（離散フーリエ変換拡散）ＤＦＴ−Ｓ−ＯＦＤＭ波形、またはインターリーブされた周波数分割多重化（ＩＦＤＭ）波形を含み得る。
【００７２】
[0079]  いくつかの例では、アップリンク制御チャネル上で通信することは、第１のシンボル期間中に、ＲＥＧのセットのうちの第１のＲＥＧにおいてＲＳとデータとを送信すること、および第１のシンボル期間に後続する第２のシンボル期間中に、ＲＥＧのセットのうちの第２のＲＥＧの各ＲＥにおいて追加のデータを送信することを含む。ＵＥ１１５−ｃは、ＲＥＧのセットの各ＲＥＧのために送信アンテナまたは送信ポートを識別し、アップリンク制御チャネルを含むＴＴＩの最後のシンボル期間中に、ＳＲＳをも送信し得る。
【００７３】
[0080]  図５は、本開示の様々な態様に従った、低レイテンシ通信のためのアップリンク制御チャネルをサポートするワイヤレスデバイス５００の図を示す。ワイヤレスデバイス５００は、図１、２、および４を参照して説明されるＵＥ１１５または基地局１０５の態様の例であり得る。ワイヤレスデバイス５００は、受信機５０５、ＵＬ制御マネージャ５１０、および送信機５１５を含み得る。ワイヤレスデバイス５００はまた、プロセッサを含み得る。これらのコンポーネントの各々は、互いと通信中であり得る。
【００７４】
[0081]  受信機５０５は、様々な情報チャネル（例えば、制御チャネル、データチャネル、および低レイテンシ通信のためのアップリンク制御チャネル関連する情報など）に関連付けられた、パケット、ユーザデータ、または制御情報のような情報を受信し得る。情報は、デバイスの他のコンポーネントにわたされ得る。受信機５０５は、図８を参照して説明されるトランシーバ８２８、または図９を参照して説明されるトランシーバ９２５の態様の例であり得る。
【００７５】
[0082]  ＵＬ制御マネージャ５１０は、ＲＥＧのセットを識別し得、ここで、ＲＥＧのセットの各ＲＥＧは、ＲＢのセットのそれぞれのＲＢの部分を含み、ＲＥＧのセットにワイヤレス通信リンクのためのアップリンク制御チャネルをマッピングし、ＲＥＧのセットを使用してアップリンク制御チャネル上で（例えば、受信機５０５および／または送信機５１５と連携して）通信し得る。ＵＬ制御マネージャ５１０もまた、図８を参照して説明されるＵＬ制御マネージャ８０５、または図９の制御マネージャ９０５の態様の例であり得る。いくつかの例では、ＵＬ制御マネージャ５１０は、図８を参照して説明されるプロセッサ８１０、または図９を参照して説明されるプロセッサ９１０の態様である。
【００７６】
[0083]  送信機５１５は、ワイヤレスデバイス５００の他のコンポーネントから受信された信号を送信し得る。いくつかの例では、送信機５１５は、トランシーバモジュール中の受信機と一緒に用いられ得る。例えば、送信機５１５は、図８を参照して説明されるトランシーバ８２８、または図９を参照して説明されるトランシーバ９２５の態様の例であり得る。送信機５１５は、単一のアンテナを含み得るか、または複数のアンテナを含み得る。
【００７７】
[0084]  図６は、本開示の様々な態様に従った、低レイテンシ通信のためのアップリンク制御チャネルをサポートするワイヤレスデバイス６００のブロック図を示す。ワイヤレスデバイス６００は、図１、２、４、および５を参照して説明されるワイヤレスデバイス５００、あるいはＵＥ１１５または基地局１０５の態様の例であり得る。ワイヤレスデバイス６００は、受信機６０５、ＵＬ制御マネージャ６１０、および送信機６２５を含み得る。ワイヤレスデバイス６００はまた、プロセッサを含み得る。これらのコンポーネントの各々は、互いと通信中であり得る。
【００７８】
[0085]  受信機６０５は、デバイスの他のコンポーネントにわたされ得る情報を受信し得る。受信機６０５はまた、図５の受信機５０５を参照して説明される機能を行い得る。受信機６０５は、図８を参照して説明されるトランシーバ８２８、または図９を参照して説明されるトランシーバ９２５の態様の例であり得る。
【００７９】
[0086]  ＵＬ制御マネージャ６１０は、図５を参照して説明されるＵＬ制御マネージャ５１０の態様の例であり得る。ＵＬ制御マネージャ６１０は、ＲＥＧ識別コンポーネント６１５およびＵＬ制御チャネルコンポーネント６２０を含み得る。ＵＬ制御マネージャ６１０はまた、図８を参照して説明されるＵＬ制御マネージャ８０５、または図９の制御マネージャ９０５の態様の例であり得る。いくつかの例では、ＵＬ制御マネージャ５１０は、図８を参照して説明されるプロセッサ８１０、または図９を参照して説明されるプロセッサ９１０の態様である。
【００８０】
[0087]  ＲＥＧ識別コンポーネント６１５は、アップリンク制御チャネルのコンテンツに少なくとも部分的に基づいて、ＲＥＧのセット中のＲＥＧの数量を識別し得、ＲＥＧのセットを識別し得、ここで、ＲＥＧのセットの各ＲＥＧは、ＲＢのセットのそれぞれのＲＢの部分を含み得る。いくつかの場合には、ＲＥＧのセットは、ＲＲＣシグナリングを使用して通信される指示に従って準静的に構成される。いくつかの場合には、ＲＥＧのセットは、ダウンリンクメッセージ中で通信される指示を使用して動的に構成される。ＲＥＧのセットの各ＲＥＧは、基準信号を含むＲＥとインターリーブされた、データを含むＲＥのセットを含み得、ここで、インターリーブすることは次に、ＲＢのセットのうちの１つのＲＢのシンボル期間中に、データを含むＲＥのうちの１つを、基準信号を含むＲＥのうちの１つと交互にすることを含み得る。
【００８１】
[0088]  いくつかの場合には、ＲＥＧのセットの各ＲＥＧは、基準信号を含むＲＥとインターリーブされた、データを含むＲＥのセットを含み、ここで、インターリーブすることは、ＲＢのセットのうちの１つのＲＢのシンボル期間中に、データを含むＲＥのうちの２つを、基準信号を含むＲＥのうちの１つと交互にすることを含む。いくつかの場合には、ＲＢのセットは隣接しない。
【００８２】
[0089]  ＵＬ制御チャネルコンポーネント６２０は、ＲＥＧのセットにワイヤレス通信リンクのためのアップリンク制御チャネルをマッピングし、ＥＧのセットを使用してアップリンク制御チャネル上で（例えば、受信機６０５および／または送信機６２５と連携して）通信し得る。いくつかの場合には、通信することは、第１のシンボル期間中に、ＲＥＧのセットのうちの第１のＲＥＧにおいて基準信号と第１のデータとを送信すること、および第１のシンボル期間に後続する第２のシンボル期間中に、ＲＥＧのセットのうちの第２のＲＥＧの各ＲＥにおいて第２のデータを送信することを含む。いくつかの場合には、アップリンク制御チャネルの波形は、ＯＦＤＭ波形、ＤＦＴ−Ｓ−ＯＦＤＭ波形、またはＩＦＤＭ波を含む。
【００８３】
[0090]  送信機６２５は、ワイヤレスデバイス６００の他のコンポーネントから受信された信号を送信し得る。いくつかの例では、送信機６２５は、トランシーバモジュール中の受信機と一緒に用いられ得る。例えば、送信機６２５は、図８を参照して説明されるトランシーバ８２８、または図９を参照して説明されるトランシーバ９２５の態様の例であり得る。送信機６２５は、単一のアンテナを利用し得るか、または複数のアンテナを利用し得る。
【００８４】
[0091]  図７は、ＵＬ制御マネージャ７００のブロック図を示し、それは、ワイヤレスデバイス５００またはワイヤレスデバイス６００の対応するコンポーネントの例であり得る。すなわち、ＵＬ制御マネージャ７００は、図５および６を参照して説明される、ＵＬ制御マネージャ５１０またはＵＬ制御マネージャ６１０の態様の例であり得る。ＵＬ制御マネージャ７００もまた、図８を参照して説明されるＵＬ制御マネージャ８０５、または図９の制御マネージャ９０５の態様の例であり得る。いくつかの例では、ＵＬ制御マネージャ５１０は、図８を参照して説明されるプロセッサ８１０、または図９を参照して説明されるプロセッサ９１０の態様である。
【００８５】
[0092]  ＵＬ制御マネージャ７００は、ＲＥＧ識別コンポーネント７０５、ＵＬ制御チャネルコンポーネント７１０、ＵＬ ＲＳコンポーネント７１５、ＣＤＭコンポーネント７２０、アンテナ識別コンポーネント７２５、ＳＲＳコンポーネント７３０、およびＲＥＧ構造コンポーネント７３５を含み得る。これらのモジュールの各々は、互いと（例えば、１つまたは複数のバスを介して）直接または間接的に通信し得る。
【００８６】
[0093]  ＲＥＧ識別コンポーネント７０５は、アップリンク制御チャネルのコンテンツに基づいて、ＲＥＧのセット中のＲＥＧの数量を識別し得、ＲＥＧのセットを識別し得、ここで、ＲＥＧのセットの各ＲＥＧは、ＲＢのセットのそれぞれのＲＢの部分を含む。
【００８７】
[0094]  ＵＬ制御チャネルコンポーネント７１０は、ＲＥＧのセットにワイヤレス通信リンクのためのアップリンク制御チャネルをマッピングし、ＲＥＧのセットを使用してアップリンク制御チャネル上で（例えば、受信機５０５または６０５および／または送信機５１５または６２５と連携して）通信し得る。いくつかの例では、ＵＬ制御チャネルコンポーネントは、ＲＥＧのセットのうちの１つのＲＥＧの各ＲＥでデータを送信し得る。
【００８８】
[0095]  ＵＬ ＲＳコンポーネント７１５は、ＵＥに関連付けられたオフセットを識別し得、および、例えば、送信機５１５または６２５と共同で、ＲＢのセットの各ＲＢにおいてオフセットを使用してアップリンク基準信号を送信し得る。いくつかの場合には、アップリンク基準信号は、アップリンク制御チャネルを含むシンボル期間中に送信され得る。いくつかの場合には、アップリンク基準信号は、基地局によって指示されるシンボル期間中に送信され得る。アップリンク基準信号は、アップリンク制御チャネルまたはアップリンク共有チャネル、あるいは両方に関連付けられ得る。
【００８９】
[0096]  ＣＤＭコンポーネント７２０は、符号分割多重化（ＣＤＭ）カバーコードを識別し得、ここで、ワイヤレス通信リンクを通じて通信することは、ＣＤＭカバーコードに基づいており、アップリンク制御チャネルのペイロードサイズを決定し、ここで、ＣＤＭカバーコードを識別することは、ペイロードサイズに基づき得る。いくつかの例では、ＣＤＭカバーコードは、周波数領域中の２つ以上の異なるサブキャリアのリソース要素、または時間領域中の２つ以上の異なるシンボル期間のリソース要素、あるいはそれらの組み合わせを含み得る。
【００９０】
[0097]  アンテナ識別コンポーネント７２５は、ＲＥＧのセットの各ＲＥＧのために（例えば、送信機５１５または６２５の）送信アンテナまたは送信ポートを識別し得る。ＳＲＳコンポーネント７３０は、例えば、送信機５１５または６２５と共同で、アップリンク制御チャネルを含む送信時間間隔の最後のシンボル期間中にＳＲＳを送信し得る。
【００９１】
[0098]  ＲＥＧ構造コンポーネント７３５は、第１のＵＥに関連付けられた第１のＲＥＧ構造と、第２のＵＥに関連付けられた第２のＲＥＧ構造とを識別し、受信機５０５または６０５と共同して、例えば、ＲＢのセットのうちの１つのＲＢ中の第１のＲＥＧ構造を使用して、第１のＵＥから第１のアップリンク基準信号を受信し、受信機５０５または６０５と共同して、ＲＢのセットのうちの１つのＲＢ中の第２のＲＥＧ構造を使用して、第２のＵＥから第２のアップリンク基準信号を受信し、および、受信機５０５または６０５と共同して、第２のシンボル持続期間中に別のＲＢ中の第１のＵＥに関連付けられたＲＥＧの各ＲＥにおいて、データまたは制御情報を受信し得る。いくつかの場合には、第１のＲＥＧ構造および第２のＲＥＧ構造は、少なくとも、周波数オフセット、基準信号のためのＲＥの数、またはＣＤＭカバーのうちの１つにおいて異なる。
【００９２】
[0099]  図８は、本開示の様々な態様に従った、低レイテンシ通信のためのアップリンク制御チャネルをサポートするデバイスを含むシステム８００の図を示す。例えば、システム８００は、ＵＥ１１５−ｄを含み得、それは、図１、２、４、および５〜７を参照して説明されるような、ワイヤレスデバイス５００、ワイヤレスデバイス６００、またはＵＥ１１５の例であり得る。ＵＥ１１５−ｄはまた、ＵＬ制御マネージャ８０５、プロセッサ８１０、メモリ８１５、トランシーバ８２５、アンテナ８３０、およびＥＣＣモジュール８３５を含み得る。これらのモジュールの各々は、互いと（例えば、１つまたは複数のバスを介して）直接または間接的に通信し得る。ＵＥ制御マネージャ８０５は、図５〜７を参照して説明されるような、ＵＬ制御マネージャ５１０、６１０、または７００の例であり得る。
【００９３】
[0100]  プロセッサ８１０は、インテリジェントハードウェアデバイス（例えば、中央処理ユニット（ＣＰＵ）、マイクロコントローラ、特定用途向け集積回路（ＡＳＩＣ）など）を含み得る。メモリ８１５は、ランダムアクセスメモリ（ＲＡＭ）および読み取り専用メモリ（ＲＯＭ）を含み得る。メモリ８１５は、実行されると、プロセッサに、従ってＵＥ１１５−ｄに、本明細書で説明される様々な機能（例えば、低レイテンシ通信のためのアップリンク制御チャネルなど）を行わせる命令を含む、コンピュータ可読、コンピュータ実行可能ソフトウェアを記憶し得る。いくつかの場合には、ソフトウェア８２０は、プロセッサによって直接実行可能ではない可能性があり得るが、（例えば、コンパイルおよび実行されるときに）コンピュータに、本明細書に説明される機能を行わせ得る。
【００９４】
[0101]  トランシーバ８２５は、上述されるように、１つまたは複数のアンテナ、ワイヤードまたはワイヤレスリンクを介して、１つまたは複数のネットワークと双方向に通信し得る。例えば、トランシーバ８２５は、基地局１０５（例えば、基地局１０５−ｃ）またはＵＥ１１５と双方向で通信し得る。トランシーバ８２５はまた、パケットを変調し、送信のために変調されたパケットをアンテナに提供し、アンテナから受信されたパケットを復調するためのモデムも含み得る。いくつかの場合には、ワイヤレスデバイスは、単一のアンテナ８３０を含み得る。しかしながら、いくつかの場合には、デバイスは、２つ以上のアンテナ８３０を有し得、それは、複数のワイヤレス送信を同時に送信または受信することが可能であり得る。
【００９５】
[0102]  ＥＣＣモジュール８３５は、共有または無認可スペクトルを使用する通信のようなＥＣＣを使用する、低減されたＴＴＩまたはサブフレーム持続期間を使用する、または多くのコンポーネントキャリアを使用する動作を可能にし得る。
【００９６】
[0103]  図９は、本開示の様々な態様に従った、低レイテンシ通信のためのアップリンク制御チャネルをサポートするデバイスを含むワイヤレスシステム９００の図を示す。例えば、ワイヤレスシステム９００は、基地局１０５−ｄを含み得、それは、図１、２、４、および５〜７を参照して説明されるようなワイヤレスデバイス５００、ワイヤレスデバイス６００、または基地局１０５の例であり得る。基地局１０５−ｄはまた、通信を送信するためのコンポーネントおよび通信を受信するためのコンポーネントを含む、双方向音声およびデータ通信のためのコンポーネントを含み得る。例えば、基地局１０５−ｄは、１つまたは複数のＵＥ１１５と双方向で通信し得る。
【００９７】
[0104]  基地局１０５−ｄはまた、ＵＬ制御マネージャ９０５、プロセッサ９１０、メモリ９１５、トランシーバ９２５、アンテナ９３０、基地局通信モジュール９３５、およびネットワーク通信モジュール９４０を含み得る。これらのモジュールの各々は、互いと（例えば、１つまたは複数のバスを介して）直接または間接的に通信し得る。ＵＬ制御マネージャ９０５は、図５〜７を参照して説明されるような、ＵＬ制御マネージャの例であり得る。
【００９８】
[0105]  プロセッサ９１０は、インテリジェントハードウェアデバイス（例えば、ＣＰＵ、マイクロコントローラ、ＡＳＩＣなど）を含み得る。メモリ９１５は、ＲＡＭおよびＲＯＭを含み得る。メモリ９１５は、実行されると、プロセッサに、従って基地局１０５−ｄに、本明細書で説明される様々な機能（例えば、低レイテンシ通信のためのアップリンク制御チャネルなど）を行わせる命令を含む、コンピュータ可読、コンピュータ実行可能ソフトウェアを記憶し得る。いくつかの場合には、ソフトウェア９２０は、プロセッサによって直接実行可能ではないことがあり得るが、（例えば、コンパイルおよび実行されるときに）コンピュータに、本明細書に説明される機能を行わせ得る。
【００９９】
[0106]  トランシーバ９２５は、上述されるように、１つまたは複数のアンテナ、ワイヤードまたはワイヤレスリンクを介して、１つまたは複数のネットワークと双方向に通信し得る。例えば、トランシーバ９２５は、基地局１０５（例えば、基地局１０５−ｅまたは１０５−ｆ）、あるいはＵＥ１１５（例えば、ＵＥ１１５−ｅまたは１１５−ｆ）と双方向通信し得る。トランシーバ９２５はまた、パケットを変調し、送信のために変調されたパケットをアンテナに提供し、アンテナから受信されたパケットを復調するためのモデムも含み得る。いくつかの場合には、ワイヤレスデバイスは、単一のアンテナ９３０を含み得る。しかしながら、いくつかの場合には、デバイスは、２つ以上のアンテナ８３０を有し得、それは、複数のワイヤレス送信を同時に送信または受信することが可能であり得る。
【０１００】
[0107]  基地局通信モジュール９３５は、他の基地局１０５（例えば、基地局１０５−ｅまたは１０５−ｆ）との通信を管理し得、基地局１０５と連動してＵＥ１１５（例えば、ＵＥ１１５−ｅまたは１１５−ｆ）との通信を制御するためのコントローラまたはスケジューラを含み得る。例えば、基地局通信モジュール９３５は、ビームフォーミングまたはジョイント送信のような様々な干渉緩和技法のために、ＵＥ１１５への送信のためのスケジューリングを調整し得る。いくつかの例では、基地局通信モジュール９３５は、基地局１０５間での通信を提供するために、ＬＴＥ／ＬＴＥ−Ａワイヤレス通信ネットワーク技術内のＸ２インターフェースを提供し得る。
【０１０１】
[0108]  ネットワーク通信モジュール９４０は、（例えば、１つまたは複数のワイヤードバックホールリンクを介して）コアネットワークとの通信を管理し得る。例えば、ネットワーク通信モジュール９４０は、１つまたは複数のＵＥ１１５のようなクライアントデバイスのためのデータ通信の転送を管理し得る。
【０１０２】
[0109]  図１０は、本開示の様々な態様に従った、低レイテンシ通信のためのアップリンク制御チャネルに関する方法１０００を例示するフローチャートを示す。方法１０００の動作は、ＵＥ１１５または基地局１０５、あるいは図１、２、４、８、または９を参照して説明されるそれのコンポーネントによって実装され得る。例えば、方法１０００の動作は、本明細書で説明されるようなＵＬ制御マネージャによって行われ得る。いくつかの例では、ＵＥ１１５または基地局１０５は、以下に説明される機能を実行するために、デバイスの機能的な要素を制御するためのコードのセットを実行し得る。追加的にまたは代替的に、ＵＥ１１５または基地局１０５は、特殊用途ハードウェアを使用して以下に説明される機能の態様を行い得る。
【０１０３】
[0110]  ブロック１００５において、ＵＥ１１５または基地局１０５は、ＲＥＧのセットを識別し、ここで、ＲＥＧのセットの各ＲＥＧは、図２〜４を参照して上述されるように、ＲＢのセットのそれぞれのＲＢの部分を含む。ある特定の例では、ブロック１００５の動作は、図６および７を参照して説明されるような、ＲＥＧ識別コンポーネント６１５または７０５によって行われ得る。ある特定の例では、ブロック１００５の動作は、図８および９を参照して説明されるように、プロセッサ８１０または９１０によって行われ得る。
【０１０４】
[0111]  ブロック１０１０において、ＵＥ１１５または基地局１０５は、図２〜４を参照して上述されるように、ＲＥＧのセットにワイヤレス通信リンクのためのアップリンク制御チャネルをマッピングし得る。ある特定の例では、ブロック１０１０の動作は、図６および７を参照して説明されるような、ＵＬ制御チャネルコンポーネントによって行われ得る。いくつかの例では、ブロック１０１０の動作は、図８および９を参照して説明されるように、プロセッサ８１０または９１０によって行われ得る。
【０１０５】
[0112]  ブロック１０１５において、ＵＥ１１５または基地局１０５は、図２〜４を参照して上述されるように、ＲＥＧのセットを使用してアップリンク制御チャネル上で通信し得る。ある特定の例では、ブロック１０１５の動作は、図６および７を参照して説明されるような、ＵＬ制御チャネルコンポーネントによって行われ得る。いくつかの例では、ブロック１０１５の動作は、図８および９を参照して説明されるように、トランシーバ８２５または９２５によって行われ得る。
【０１０６】
[0113]  図１１は、本開示の様々な態様に従った、低レイテンシ通信のためのアップリンク制御チャネルに関する方法１１００を例示するフローチャートを示す。方法１１００の動作は、ＵＥ１１５または基地局１０５、あるいは図１、２、４、８、または９を参照して説明されるそれのコンポーネントによって実装され得る。例えば、方法１１００の動作は、本明細書で説明されるようなＵＬ制御マネージャによって行われ得る。いくつかの例では、ＵＥ１１５または基地局１０５は、以下に説明される機能を実行するために、デバイスの機能的な要素を制御するためのコードのセットを実行し得る。追加的にまたは代替的に、ＵＥ１１５または基地局１０５は、特殊用途ハードウェアを使用して以下に説明される機能の態様を行い得る。
【０１０７】
[0114]  ブロック１１０５において、ＵＥ１１５または基地局１０５は、ＲＥＧのセットを識別し、ここで、ＲＥＧのセットの各ＲＥＧは、図２〜４を参照して上述されるように、ＲＢのセットのそれぞれのＲＢの部分を含む。ある特定の例では、ブロック１１０５の動作は、図６および７を参照して説明されるような、ＲＥＧ識別コンポーネントによって行われ得る。いくつかの例では、ブロック１１０５の動作は、図８および９を参照して説明されるように、プロセッサ８１０または９１０によって行われ得る。
【０１０８】
[0115]  ブロック１１１０において、ＵＥ１１５または基地局１０５は、図２〜４を参照して上述されるように、ＵＥに関連付けられたオフセットを識別し得る。ある特定の例では、ブロック１１１０の動作は、図６および７を参照して説明されるような、ＵＬ ＲＳコンポーネントによって行われ得る。いくつかの例では、ブロック１１１０の動作は、図８および９を参照して説明されるように、プロセッサ８１０または９１０によって行われ得る。
【０１０９】
[0116]  ブロック１１１５において、ＵＥ１１５または基地局１０５は、図２〜４を参照して上述されるように、ＲＥＧのセットにワイヤレス通信リンクのためのアップリンク制御チャネルをマッピングし得る。ある特定の例では、ブロック１１１５の動作は、図６および７を参照して説明されるような、ＵＬ制御チャネルコンポーネントによって行われ得る。いくつかの例では、ブロック１１１５の動作は、図８および９を参照して説明されるように、プロセッサ８１０または９１０によって行われ得る。
【０１１０】
[0117]  ブロック１１２０において、ＵＥ１１５または基地局１０５は、ＲＥＧのセットを使用してアップリンク制御チャネル上で通信し得、ここで、アップリンク基準信号は、図２〜４を参照して上述されるように、隣接しないＲＢのセットの各ＲＢにおいてオフセットを使用して送信され、アップリンク制御チャネルのシンボル期間にわたって送信される。ある特定の例では、ブロック１１２０の動作は、図６および７を参照して説明されるような、ＵＬ制御チャネルコンポーネントによって行われ得る。いくつかの例では、ブロック１１２０のいくつかの例は、図８および９を参照して説明されるように、トランシーバ８２５または９２５によって行われ得る。
【０１１１】
[0118]  図１２は、本開示の様々な態様に従った、低レイテンシ通信のためのアップリンク制御チャネルに関する方法１２００を例示するフローチャートを示す。方法１２００の動作は、ＵＥ１１５または基地局１０５、あるいは図１、２、４、８、または９を参照して説明されるそれのコンポーネントによって実装され得る。例えば、方法１２００の動作は、本明細書で説明されるようなＵＬ制御マネージャによって行われ得る。いくつかの例では、ＵＥ１１５または基地局１０５は、以下に説明される機能を実行するために、デバイスの機能的な要素を制御するためのコードのセットを実行し得る。追加的にまたは代替的に、ＵＥ１１５または基地局１０５は、特殊用途ハードウェアを使用して以下に説明される機能の態様を行い得る。
【０１１２】
[0119]  ブロック１２０５において、ＵＥ１１５または基地局１０５は、ＲＥＧのセットを識別し、ここで、ＲＥＧのセットの各ＲＥＧは、図２〜４を参照して上述されるように、ＲＢのセットのそれぞれのＲＢの部分を含む。ある特定の例では、ブロック１２０５の動作は、図６および７を参照して説明されるような、ＲＥＧ識別コンポーネントによって行われ得る。いくつかの例では、ブロック１２０５の動作は、図８および９を参照して説明されるように、プロセッサ８１０または９１０によって行われ得る。
【０１１３】
[0120]  ブロック１２１０において、ＵＥ１１５または基地局１０５は、図２〜４を参照して上述されるように、ＲＥＧのセットにワイヤレス通信リンクのためのアップリンク制御チャネルをマッピングし得る。ある特定の例では、ブロック１２１０の動作は、図６および７を参照して説明されるような、ＵＬ制御チャネルコンポーネントによって行われ得る。いくつかの例では、ブロック１２１０の動作は、図８および９を参照して説明されるように、プロセッサ８１０または９１０によって行われ得る。
【０１１４】
[0121]  ブロック１２１５において、ＵＥ１１５または基地局１０５は、図２〜４を参照して上述されるように、アップリンク制御チャネルのペイロードサイズを決定し得る。ある特定の例では、ブロック１２１５の動作は、図６および７を参照して説明されるように、ＣＤＭコンポーネントによって行われ得る。いくつかの例では、ブロック１２１５の動作は、図８および９を参照して説明されるように、プロセッサ８１０または９１０によって行われ得る。
【０１１５】
[0122]  ブロック１２２０において、ＵＥ１１５または基地局１０５は、符号分割多重化（ＣＤＭ）カバーコードを識別し得、ＣＤＭカバーコードを識別することは、図２〜４を参照して上述されるように、ペイロードサイズに基づく。ある特定の例では、ブロック１２２０の動作は、図６および７を参照して説明されるように、ＣＤＭコンポーネントによって行われ得る。いくつかの例では、ブロック１２２０の動作は、図８および９を参照して説明されるように、プロセッサ８１０または９１０によって行われ得る。
【０１１６】
[0123]  ブロック１２２５において、ＵＥ１１５または基地局１０５は、ＲＥＧのセットを使用してアップリンク制御チャネル上で通信し得、ここで、ワイヤレス通信リンクを通じて通信することは、図２〜４を参照して上述されるように、ＣＤＭカバーコードに基づいている。ある特定の例では、ブロック１２２５の動作は、図６および７を参照して説明されるような、ＵＬ制御チャネルコンポーネントによって行われ得る。いくつかの例では、ブロック１２２５の動作は、図８および９を参照して説明されるように、トランシーバ８２５または９２５によって行われ得る。
【０１１７】
[0124]  図１３は、本開示の様々な態様に従った、低レイテンシ通信のためのアップリンク制御チャネルに関する方法１３００を例示するフローチャートを示す。方法１３００の動作は、ＵＥ１１５または基地局１０５、あるいは図１、２、４、８、または９を参照して説明されるそれのコンポーネントによって実装され得る。例えば、方法１３００の動作は、本明細書で説明されるようなＵＬ制御マネージャによって行われ得る。いくつかの例では、ＵＥ１１５または基地局１０５は、以下に説明される機能を実行するために、デバイスの機能的な要素を制御するためのコードのセットを実行し得る。追加的にまたは代替的に、ＵＥ１１５または基地局１０５は、特殊用途ハードウェアを使用して以下に説明される機能の態様を行い得る。
【０１１８】
[0125]  ブロック１３０５において、ＵＥ１１５または基地局１０５は、ＲＥＧのセットを識別し、ここで、ＲＥＧのセットの各ＲＥＧは、図２〜４を参照して上述されるように、ＲＢのセットのそれぞれのＲＢの部分を含む。ある特定の例では、ブロック１３０５の動作は、図６および７を参照して説明されるような、ＲＥＧ識別コンポーネントによって行われ得る。いくつかの例では、ブロック１３０５の動作は、図８および９を参照して説明されるように、プロセッサ８１０または９１０によって行われ得る。
【０１１９】
[0126]  ブロック１３１０において、ＵＥ１１５または基地局１０５は、図２〜４を参照して上述されるように、ＲＥＧのセットにワイヤレス通信リンクのためのアップリンク制御チャネルをマッピングし得る。ある特定の例では、ブロック１３１０の動作は、図６および７を参照して説明されるような、ＵＬ制御チャネルコンポーネントによって行われ得る。いくつかの例では、ブロック１３１０の動作は、図８および９を参照して説明されるように、プロセッサ８１０または９１０によって行われ得る。
【０１２０】
[0127]  ブロック１３１５において、ＵＥ１１５または基地局１０５は、ＲＥＧのセットを使用してアップリンク制御チャネル上で通信し得、ワイヤレス通信リンクを通じて通信することは、図２〜４を参照して上述されるように、第１のシンボル期間中に、ＲＥＧのセットのうちの第１のＲＥＧにおいて基準信号と第１のデータとを送信すること、および第１のシンボル期間に後続する第２のシンボル期間中に、ＲＥＧのセットのうちの第２のＲＥＧの各ＲＥにおいて第２のデータを送信することを含む。ある特定の例では、ブロック１３１５の動作は、図６および７を参照して説明されるような、ＵＬ制御チャネルコンポーネントによって行われ得る。いくつかの例では、ブロック１３１５の動作は、図８および９を参照して説明されるように、トランシーバ８２５または９２５によって行われ得る。
【０１２１】
[0128]  これらの方法は可能性のある実装を説明しており、動作およびステップは他の実装が実行できるように、再配列され得るか、またはそうでない場合は修正され得ることに留意されたい。いくつかの例では、方法のうちの２つ以上からの態様が組み合され得る。例えば、方法の各々の態様は、本明細書で説明される、他の方法のステップまたは態様、あるいは、他のステップまたは技法を含み得る。よって、本開示の態様は、低レイテンシ通信のためのアップリンク制御チャネルを提供し得る。
【０１２２】
[0129]  本明細書での説明は、当業者が本開示を製造または使用することを可能にするために提供される。本開示への様々な修正は、当業者にとって容易に明らかであり、本明細書で定義される一般的な原理は、本開示の範囲から逸脱することなく、他のバリエーションにも適用され得る。よって、本開示は、本明細書で説明される例および設計に制限されるものではなく、本明細書に開示される原理および新規な特徴に合致する最も広い範囲が与えられるべきものである。
【０１２３】
[0130］  本明細書で説明される機能は、ハードウェア、プロセッサによって実行されるソフトウェア、ファームウェア、またはそれらの任意の組み合わせで実装され得る。プロセッサによって実行されるソフトウェアで実装される場合、機能は、１つまたは複数の命令またはコードとしてコンピュータ可読媒体上で記憶されるか、またはそれを介して送信され得る。他の例および実装は、本開示のおよび添付された特許請求の範囲内にある。例えば、ソフトウェアの本質により、上述される機能は、プロセッサによって実行されるソフトウェア、ハードウェア、ファームウェア、ハードワイヤリング、またはこれらの任意の組み合わせを使用して実装され得る。機能を実装する特徴はまた、機能の部分が、異なる物理的ロケーションに実装されるように分散されていることを含む、様々なポジションに物理的に位置付けられ得る。また、請求項を含めて、本明細書で使用されるように、項目のリストにおいて使用される「または」（例えば、「〜のうちの少なくとも１つ」あるいは「１つまたは複数」のようなフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、包含的なリストを示す。
【０１２４】
[0131]  当業者に対して既知である、あるいは後に既知となる本開示全体を通して説明される様々な態様の要素に対する全ての構造的および機能的同等物は、参照によって本明細書に明示的に組み込まれ、特許請求の範囲によって包含されることが意図される。さらに、本明細書で開示されるものはいずれも、このような開示が特許請求の範囲において明確に記載されているかどうかに関わらず、公衆に献呈されることが意図されるものではない。「モジュール」、「メカニズム」、「要素」、「デバイス」、「コンポーネント」などの用語は、「手段」という用語の代用ではない可能性があり得る。このように、どのクレーム要素も、その要素が「〜のための手段」というフレーズを使用して明示的に記載されない限り、ミーンズプラスファンクションとして解釈されるべきではない。
【０１２５】
[0132]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされ得る任意の利用可能な媒体であり得る。限定されないが、例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用され得、汎用または特殊用途コンピュータ、あるいは汎用または特殊用途プロセッサによってアクセスされ得る、任意の他の非一時的な媒体を含み得る。また、任意の接続は、厳密にはコンピュータ可読媒体と呼ばれ得る。例えば、ソフトウェアが、ウェブサイトから、サーバから、あるいは、同軸ケーブル、光ファイバーケーブル、ツイストペア、デジタル加入者線（ＤＳＬ）、または赤外線、無線、およびマイクロ波のようなワイヤレス技術を使用している他の遠隔ソースから送信された場合、同軸ケーブル、光ファイバーケーブル、ツイストペア、ＤＳＬ、あるいは、赤外線、無線、およびマイクロ波のようなワイヤレス技術は、媒体の定義に含まれる。本明細書で使用されるとき、ディスク（disk）およびディスク（disc）は、ＣＤ、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここで、ディスク（disks）は、通常磁気的にデータを再生し、一方ディスク（discs）は、レーザーを用いて光学的にデータを再生する。上記の組み合わせはまた、コンピュータ可読媒体の範囲内に含まれる。
【０１２６】
[0133]  本明細書で説明される技法は、符号分割多元接続（ＣＤＭＡ）、時分割多元接続（ＴＤＭＡ）、周波数分割多元接続（ＦＤＭＡ）（ＦＤＭＡ）、直交周波数分割多元接続（ＯＦＤＭＡ）（ＯＦＤＭＡ）、単一キャリア周波数分割多元接続（ＳＣ−ＦＤＭＡ）、および他のシステムのような、様々なワイヤレス通信システムのために使用され得る。「システム」および「ネットワーク」という用語は、しばしば交換して使用される。ＣＤＭＡシステムは、ＣＤＭＡ２０００、ユニバーサル地上無線アクセス（ＵＴＲＡ）などのような無線技術を実装し得る。ＣＤＭＡ２０００は、ＩＳ−２０００規格、ＩＳ−９５規格、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は通常、ＣＤＭＡ２０００ １ｘＥＶ−ＤＯ、高速レートパケットデータ（ＨＲＰＤ）などと呼ばれる。ＵＴＲＡは、広帯域ＣＤＭＡ（ＷＣＤＭＡ（登録商標））およびＣＤＭＡの他の変形を含む。ＴＤＭＡシステムは、（モバイルコミュニケーションのためのグローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２． １１（ワイヤレスフィディリティー（Ｗｉ−Ｆｉ））、ＩＥＥＥ８０２． １６（ＷｉＭＡＸ）、ＩＥＥＥ８０２． ２０、フラッシュＯＦＤＭなどのような無線技術を実装し得る。ＵＴＲＡおよびＥ−ＵＴＲＡは、ユニバーサルモバイル電気通信システム（ユニバーサルモバイル電気通信システム（ＵＭＴＳ））の一部分である。３ＧＰＰ（登録商標） ＬＴＥおよびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ａおよびＧＳＭは、「第３世代パートナーシッププロジェクト」（３ＧＰＰ）と名付けられた団体からの文書内で説明されている。ＣＤＭＡ２０００およびＵＭＢは、「第３世代パートナーシッププロジェクト２」（３ＧＰＰ２）と名付けられた団体からの文書内で説明されている。本明細書で説明される技法は、上述されたシステムおよび無線技術、並びに、他のシステムおよび無線技術のために使用され得る。しかしながら、本明細書での説明は、例示の目的でＬＴＥシステムを説明し、ＬＴＥの専門用語が上記の説明の大部分で使用されるが、技法はＬＴＥアプリケーション以外にも適用可能である。
【０１２７】
[0134]  本明細書で説明されるようなネットワークを含むＬＴＥ／ＬＴＥ−Ａネットワークでは、発展型ノードＢ（ｅＮＢ）という用語は概して、基地局を説明するために使用され得る。本明細書で説明される１つのワイヤレス通信システムまたは複数のシステムは、異なるタイプのｅＮＢが様々な地理的領域に対してカバレッジを提供する異機種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられるキャリアまたはコンポーネントキャリア（ＣＣ）、あるいはキャリアまたは基地局のカバレッジエリア（例えば、セクタなど）を説明するために使用され得る、３ＧＰＰの用語である。
【０１２８】
[0135]  基地局は、トランシーバ基地局、無線基地局、アクセスポイント（ＡＰ）、無線トランシーバ、ノードＢ、ｅノードＢ（ｅＮＢ）、ホームノードＢ、ホームｅノードＢ、または何らかの他の適切な専門用語で当業者によって呼ばれ得るか、あるいはそれらを含み得る。基地局に対する地理的カバレッジエリアは、カバレッジエリアの一部分のみを構成するセクタへと分割され得る。本明細書で説明されるワイヤレス通信システムまたは複数のシステムは、異なるタイプの基地局（例えば、マクロまたはスモールセル基地局）を含み得る。本明細書で説明されるＵＥは、マクロｅＮＢ、スモールセルｅＮＢ、リレー基地局などを含む様々なタイプの基地局およびネットワーク機器と通信することが可能であり得る。異なる技術に関してオーバーラップする地理的カバレッジエリアが存在し得る。
【０１２９】
[0136]  マクロセルは概して、比較的大きい地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、認可された、無認可などの）周波数帯域中で動作し得るより低電力の基地局である。スモールセルは、様々な例によると、ピコセル、フェムトセル、およびマイクロセルを含み得る。ピコセルは、例えば、小さい地理的エリアをカバーし得、ネットワークプロバイダにサービス加入しているＵＥによる無制限のアクセスを可能にし得る。フェムトセルもまた、小さい地理的エリア（例えば、家）をカバーし得、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２個、３個、４個など）のセル（例えば、コンポーネントキャリア（ＣＣ））をサポートし得る。ＵＥは、マクロｅＮＢ、スモールセルｅＮＢ、リレー基地局などを含む様々なタイプの基地局およびネットワーク機器と通信することが可能であり得る。
【０１３０】
[0137]  本明細書で説明されるワイヤレス通信システムまたは複数のシステムは、同期または非同期動作をサポートし得る。同期動作について、基地局は、類似したフレームタイミングを有し得、異なる基地局からの送信は、時間的におおまかにアラインされ得る。非同期動作について、基地局は、異なるフレームタイミングを有し得、また異なる基地局からの送信は、時間的にアラインされない可能性がある。本明細書で説明される技法は、同期または非同期動作のいずれかのために使用され得る。
【０１３１】
[0138]  本明細書で説明されるＤＬ送信はまた、順方向リンク送信と呼ばれ得、一方、ＵＬ送信はまた、逆方向リンク送信と呼ばれ得る。例えば、図１および２のワイヤレス通信システム１００および２００を含む、本明細書で説明される各通信リンクは、１つまたは複数のキャリアを含み得、ここで、各キャリアは、複数のサブキャリア（例えば、異なる周波数の波形信号）から成る信号であり得る。各変調された信号は、異なるサブキャリア上で送られ、制御情報（例えば、基準信号、制御チャネルなど）、オーバヘッド情報、ユーザデータなどを搬送し得る。本明細書で説明される通信リンク（例えば、図１の通信リンク１２５）は、（例えば、対にされたスペクトルリソースを使用する）周波数分割複信（ＦＤＤ）、または（例えば、対にされていないスペクトルリソースを使用する）時間分割複（ＴＤＤ）動作を使用して、双方向通信を送信し得る。フレーム構造は、ＦＤＤ（例えば、フレーム構造タイプ１）およびＴＤＤ（例えば、フレーム構造タイプ２）について定義され得る。
【０１３２】
[0139]  よって、本開示の態様は、低レイテンシ通信のためのアップリンク制御チャネルを提供し得る。これらの方法は、可能性のある実装を説明しており、動作およびステップは他の実装が実行できるように、再配列され得るか、またはそうでない場合は修正され得ることに留意されたい。いくつかの例では、方法のうちの２つ以上からの態様が組み合され得る。
【０１３３】
[0140]  本明細書での開示に関連して説明される様々な例示的なブロックおよびモジュールは、汎用プロセッサ、ＤＳＰ、ＡＳＩＣ、フィールドプログラマブルゲートアレイ（ＦＰＧＡ）または他のプログラマブルロジックデバイス、離散ゲートまたはトランジスタロジック、離散ハードウェアコンポーネント、あるいは本明細書で説明される機能を行うように設計されたそれらの任意の組み合わせを用いて実装または実行され得る。汎用プロセッサはマイクロプロセッサであり得るが、代替では、このプロセッサは、任意の従来のプロセッサ、コントローラ、マイクロコントローラ、またはステートマシンであり得る。プロセッサはまた、コンピューティングデバイスの組み合わせ（例えば、デジタルシグナルプロセッサ（ＤＳＰ）およびマイクロプロセッサの組み合わせ、複数のマイクロプロセッサ、ＤＳＰコアと連携した１つまたは複数のマイクロプロセッサ、あるいは任意の他のそのような構成）として実装され得る。よって、本明細書で説明される機能は、少なくとも１つの集積回路（ＩＣ）上で、１つまたは複数の他の処理ユニット（またはコア）によって行われ得る。他の例では、他のタイプの集積回路（例えば、構造化された／プラットフォームＡＳＩＣ、ＦＰＧＡ、または別のセミカスタムＩＣ）が使用され得、それらは、当該技術分野において知られている任意の方式でプログラムされ得る。各ユニットの機能はまた、１つまたは複数の汎用あるいは特定用途向けプロセッサによって実行されるようにフォーマットされ、メモリ内に組み入れられる命令を用いて、全体的にあるいは部分的に実装され得る。
【０１３４】
[0141]  添付される図面では、類似するコンポーネントまたは特徴は、同じ参照ラベルを有し得る。さらに、同じタイプの様々なコンポーネントは、参照ラベルの後に、ダッシュと、それらの類似するコンポーネント間を区別する第２のラベルとを続けることによって区別され得る。第１の参照ラベルのみが明細書で使用される場合、その説明は、第２の参照ラベルに関わらず、同じ第１の参照ラベルを有する類似するコンポーネントのうちの任意の１つに適用可能である。
【０１３５】
[0142]  本書で使用される場合、「〜に基づく」という表現は、条件の閉じられたセット（closed set）への言及として解釈されるべきではない。例えば、「条件Ａに基づく」と説明される、例となるステップは、本開示の範囲から逸脱することなく、条件Ａおよび条件Ｂの両方に基づき得る。言い換えると、本明細書で使用される場合、「〜に基づく」という句は、「〜に少なくとも部分的に基づく」という句と同じ方法で解釈されることとなる。
【図１】
2018537020.tif 000004
【図２】
2018537020.tif 000005
【図３Ａ】
2018537020.tif 000006
【図３Ｂ】
2018537020.tif 000007
【図３Ｃ】
2018537020.tif 000008
【図４】
2018537020.tif 000009
【図５】
2018537020.tif 000010
【図６】
2018537020.tif 000011
【図７】
2018537020.tif 000012
【図８】
2018537020.tif 000013
【図９】
2018537020.tif 000014
【図１０】
2018537020.tif 000015
【図１１】
2018537020.tif 000016
【図１２】
2018537020.tif 000017
【図１３】
2018537020.tif 000018
【国際調査報告】
2018537020.tif 000019
2018537020.tif 000020
2018537020.tif 000021
2018537020.tif 000022